(57)【要約】【課題】  遊技装置の設計の自由度を向上させ、省資源および盤面換えのコスト低減が可能な弾球遊技機用の遊技装置を提供する。【解決手段】  可動部材１２０を有する遊技装置１０′の駆動源１４０を、可動部材と離隔して配設するとともに、駆動源と可動部材との間に駆動源が発生した駆動力を可動部材に伝達する伝達手段１５０′を設けて遊技装置を構成する。伝達手段には可撓性を有して屈設可能な伝送部材１５２を備え、可動部材１２０と駆動源１４０とを機械的に連結して駆動源が発生した駆動力を可動部材に伝達するように構成する。【選択図】  図８
2006102137.tif 000002
【特許請求の範囲】
【請求項１】
遊技盤を着脱可能に収容保持する枠部材と、前記遊技盤に変位可能に設けられた可動部材と、前記可動部材を駆動する駆動源と、前記駆動源の作動を制御する制御装置とを備え、前記制御装置により前記駆動源が駆動されたときに当該駆動源が発生した駆動力により前記可動部材を変位させるように構成された弾球遊技機において、
前記駆動源を前記可動部材と離隔して配設するとともに前記駆動源と前記可動部材との間に前記駆動源が発生した駆動力を前記可動部材に伝達する伝達手段を設け、
前記伝達手段には可撓性を有して屈設可能な伝送部材を備え、前記駆動源と前記可動部材とを機械的に連結して前記駆動源が発生した駆動力を前記可動部材に伝達するように構成したことを特徴とする弾球遊技機の遊技装置。
【発明の詳細な説明】
【技術分野】
【０００１】
本発明は、遊技盤とこの遊技盤を着脱可能に収容保持する枠部材を有する弾球遊技機用の遊技装置に関し、なお詳細には、遊技盤に変位可能な可動部材を有し制御装置がその変位作動を制御するように構成された弾球遊技機の遊技装置に関する。
【背景技術】
【０００２】
上記のような遊技装置を備えた弾球遊技機として、例えばパチンコ機や雀球遊技機、アレンジボール機などが広く知られている。この種の遊技機の代表例とされるパチンコ機では、ベニヤと称される化粧板の前面に多数本の遊技釘とともに風車、固定入賞具、図柄表示装置、種々の可動入賞装置や可動装飾装置などの遊技装置が取り付けられた遊技盤が用いられ、この遊技盤が前枠と称される枠部材に着脱可能に収容保持されている。遊技盤の背後には裏セット盤と称される球処理機構盤が設けられるとともに、各種遊技装置の作動を制御する制御装置が設けられている。
【０００３】
遊技盤に設けられた可動入賞装置としては、例えば電動チューリップやアタッカー装置（大入賞口）などの可変入賞装置、入賞球振り分け装置、クルーンと称される回転盤、羽根物又はヒコーキ物と称される役物など各種の入賞装置が挙げられる。また遊技盤に設けられた可動装飾装置としては、例えば中央飾りに設けられて揺動変位等する人形や動物、魚、乗り物などの各種の模型、開閉変位する扉や窓、遊技球を案内する回転体などの装飾装置が例示される。
【０００４】
これらの可動入賞装置や可動装飾装置では、羽根や開閉扉、回転盤等の可動部材が設けられた入賞機構部または装飾機構部に、可動部材とともに、可動部材を駆動する駆動源（例えば直動型のソレノイドやロータリーソレノイド、モータ等）が組付けられて一体の可動装置として構成され、この一体化された可動入賞装置または可動装飾装置を遊技盤の盤面に形成されたルータ穴に挿入してビス固定することで遊技盤に取り付けられていた。これらの可動入賞装置や可動装飾装置の作動は、遊技機の作動を制御する制御装置により制御され、例えば遊技機の起動とともに作動し、あるいは所定の入賞条件のもと開閉変位するように構成されている（例えば、特許文献１〜３を参照）。
【特許文献１】特開平５−２９３２２３号公報
【特許文献２】特開平６−６３２２５号公報
【特許文献３】特開２００４−８５７９号公報
【発明の開示】
【発明が解決しようとする課題】
【０００５】
しかしながら、上記のような従来の遊技装置では、可動部材とこの可動部材を駆動する駆動源とが入賞機構部（あるいは装飾機構部）に組付けられて一体の可動装置として構成されており、これを遊技盤に形成されたルータ孔に挿入してビス固定するようになっていた。このため、可動部材の駆動源は遊技装置の外形よりも小さいルータ孔の開口範囲内に収めて配設しなければならず、駆動源の選定や配置、可動部材に駆動力を伝達する機構構成に苦慮するという問題があった。
【０００６】
また、可動部材を大型化してダイナミックな動作を実現しようとすれば、本来的には可動部材の運動量に応じた容量の駆動源が必要である。ところが上記寸法上の制約から大型の駆動源を配設することは難しく、これを小型の駆動源で駆動しようとすれば、多段のギヤ列やリンク機構により伝達機構が複雑化したり、駆動源のパワー不足で緩慢な動作しか実現できなかったり、過剰な負荷によって駆動源が発熱したりするという問題があった。また複数の可動部材を各々独立して変位させ多様な動作を実現するには、可動部材の大きさや動きに応じた種類および数量の駆動源が必要となるが、これらを限られた範囲内に組付ける必要があり、機構構成が複雑化して部品点数、組立工数ともに増大し、生産コストが上昇するという問題があった。
【０００７】
また、近年では地球環境保護の見地から産業廃棄物の削減、資源リサイクルの推進が求められている。このような背景のもと弾球遊技機では遊技球の発射機構が設けられた前枠や遊技球の払出機構が設けられた裏セット盤など遊技機の主要機構部を流用しつつ、遊技盤と制御装置を交換して新機種に切り替える「盤面換え」と称される入れ替え形態が広く行われている。ところが、盤面換えでは遊技盤全体を新たな遊技盤に交換するため、遊技盤に取り付けられた遊技装置は、多くの場合その駆動源が継続使用可能な状態であり、かつ新たな遊技盤に設けられた遊技装置の駆動源と略同一仕様の電気部品であるにも拘わらず、遊技盤ごと新品に交換されており、省資源の理念に反するとともに盤面換えのコスト上昇の一因になっていた。
【０００８】
さらに、盤面換えにより回収された遊技盤をリサイクルするためには、基板となる積層合板に組付けられた多種多様の部品を取り外して材質ごとに分別し、材質に応じたリサイクルルートに乗せる必要があるが、可動入賞装置や可動装飾装置では、遊技盤から取り外した装置をさらに分解し、一般的に樹脂材料で形成される可動機構部から駆動源や電気配線を分別して各リサイクルルートに乗せる必要があり、リサイクルのための工数およびコストが上昇するという課題があった。このことは駆動源を多数有する遊技機ほど顕著であり、資源リサイクルを推進するうえで解決すべき重要な課題とされていた。
【０００９】
本発明は上記のような事情に鑑みてなされたものであり、可動入賞装置や可動装飾装置の設計の自由度を向上させるとともに、省資源および遊技盤のコスト低減を可能とし、併せてリサイクル性を向上させた弾球遊技機用の遊技装置を提供することを目的とする。
【課題を解決するための手段】
【００１０】
上記目的達成のため、本発明は、遊技盤を着脱可能に収容保持する枠部材（例えば、実施形態における前枠２）と、遊技盤に変位可能に設けられた可動部材（例えば、実施形態における回転盤１２０、チューリップ羽根２２０，２２１、開閉扉３２１、シーソー部材３３１）と、可動部材を駆動する駆動源と、駆動源の作動を制御する制御装置とを備え、制御装置により駆動源が駆動されたときに当該駆動源が発生した駆動力により可動部材を変位させるように構成された弾球遊技機において、駆動源を可動部材と離隔して配設するとともに駆動源と可動部材との間に駆動源が発生した駆動力を可動部材に伝達する伝達手段を設けて遊技装置（実施形態における中央飾り１０，１０′、始動入賞装置２０，２０′，２１、アタッカー装置３０）を構成する。そしてこの伝達手段には可撓性を有して屈設可能な伝送部材（例えば、実施形態におけるフレキシブルシャフト１５２，２５２、コントロールケーブル２５４，３５３，３５４）を備え、駆動源と可動部材とを機械的に連結して駆動源が発生した駆動力を可動部材に伝達するように構成する。
【００１１】
ここで、「可撓性を有して屈設可能な伝送部材」として、例えば、インナーワイヤーとインナーワイヤーを軸方向に摺動自在に保持するアウターケーシングとからなるプルケーブル若しくはプッシュプルケーブル（これらを総称してコントロールケーブルとも称される）や、細径多条のワイヤを正逆交互に多層に巻き上げたインナーワイヤーとインナーワイヤーを軸方向および軸まわりに摺動自在に保持するアウターケーシングとからなるトルクロープ（ロータリケーブルとも称される）、多条のワイヤやスパイラルチューブを正逆交互に多層に巻き上げたインナーコイルとインナーコイルを軸まわりに回動自在に保持するアウターケーシングとからなるフレキシブルシャフトなどが例示される。
【発明の効果】
【００１２】
上記構成の遊技装置では、可動部材とこの可動部材を駆動する駆動源とを離隔して配設するとともに、これらの間に可撓性を有して屈設可能な伝送部材を備えた伝達手段を設けて機械的に連結し、駆動源が発生した駆動力を可動部材に伝達するように構成している。このため、例えば可動入賞装置や可動装飾装置における駆動源を可動部材から離隔して遊技盤の裏面側や枠部材等の適宜な位置に配設することで、遊技盤に形成されたルータ孔の寸法的制約を受けることなく駆動源の選定や配置を設定することができ、入賞機構部または装飾機構の設計においても余裕を持って機構設計を行うことができる。
【００１３】
また、可動部材の運動量に応じた容量の駆動源を採用することができるため、機構構成を複雑化することなく大型の可動部材を大きく変位させることが可能になり、従来困難とされたダイナミックな動作を実現することができる。また複数の可動部材を各々独立した駆動源で駆動するような場合にも、可動部材の大きさや動きに応じた種類および数量の駆動源を適宜な位置に配置して構成することができ、複雑かつ多様な動作を実現することができる。
【００１４】
さらに、可動部材の駆動源を枠部材に設ける構成とすれば、遊技盤の生産コストを低減して盤面換えに要する費用を低減可能であることに加えて、盤面換えにおいて活用可能な駆動源を継続使用することで省資源に寄与することができ、また回収された遊技盤のリサイクル工数およびコストを低減することができる。
【００１５】
従って、本発明の遊技装置によれば、遊技装置の設計の自由度を向上させるとともに、省資源および盤面換えのコスト低減を可能とし、併せてリサイクル性を向上させた弾球遊技機用の遊技装置を提供することができる。
【発明を実施するための最良の形態】
【００１６】
以下、本発明を実施するための形態について添付図面を参照しながら説明する。本発明に係る遊技装置を備えた弾球遊技機の一例として、図１および図２にパチンコ機を例示しており、まずこれらの図面を参照してパチンコ機ＰＭの全体構成について要約説明する。ここで、図１はパチンコ機全体の正面図、図２は前枠から裏セット盤を取り外しさらに遊技盤から図柄表示装置を取り外した状態で示すパチンコ機の背面図である。
【００１７】
パチンコ機ＰＭは、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構により前方に横開き開閉および着脱が可能に取り付けられ、正面右側に設けられた施錠装置を利用して常には外枠１と係合連結された閉止状態に保持される。
【００１８】
前枠２の前面側では、前側面域に合わせた方形状のガラス扉３および上球皿４が横開き開閉および着脱可能に組付けられ、上球皿４の下側に下球皿５、発射ハンドル６が組付けられるとともに前枠２の後面下部に遊技球発射装置７が装備されている。前枠２の上方奥部には後方に突出する方形枠状の収容枠２ａが前枠２と一体に形成されており、この収容枠２ａに所定のゲージ設定で構成された遊技盤８が閉鎖クランプを利用して着脱可能にセット保持され、常には閉鎖保持されるガラス扉３に遊技盤正面の遊技領域を臨ませている。収容枠２ａの下側には遊技補助盤と称される補助機構部９が設けられ、その前面側に遊技球発射装置７の発射レールやスピーカなどが設けられている。
【００１９】
遊技盤８は、所定板厚の積層合板の表面にセルを貼り付けてルーター加工した化粧板を基板とし、前面側に発射機構から打ち出された遊技球をガイドする案内レールが設けられて略円形の遊技領域ＰＡが区画形成される。遊技領域ＰＡには、図示省略する多数本の遊技釘および風車とともに、後に詳述する中央飾り（可動装飾装置）１０、遊技の展開状況に応じた図柄を表示する図柄表示装置１２、遊技球が落入可能な固定入賞具１５、電動チューリップ型の可動入賞装置（以下、「始動入賞装置」という）２０、アタッカー型の可動入賞装置（以下、「アタッカー装置」という）３０、LEDや表示ランプなどが取り付けられ、遊技領域ＰＡの下端部にアウト口１８が開口形成されている。中央飾りや各入賞装置は化粧板を前後に貫通するルータ孔に装着されて化粧板の前面側でビス固定されるとともに、入賞装置の後方には各入賞装置に落入して化粧板の裏面側に導かれたセーフ球、およびアウト口１８を通って化粧板の裏面側に導かれたアウト球を、化粧板の背面に沿って裏セット盤の遊技済み球排出通路に導く球寄せカバー１９が取り付けられている。
【００２０】
前枠２の裏面側には、詳細図示省略する裏セット盤が、前枠２の背面右側に設けられたヒンジ機構を利用して着脱および横開き開閉可能に取り付けられ、常には遊技盤８の背後を覆って閉止保持される。裏セット盤には遊技盤８から排出された遊技球を遊技施設の回収装置に導く遊技済み球排出通路や、球払出制御機構の球通路等が形成されるとともに、裏セット盤の背面各部にパチンコ機ＰＭの作動を統括的に制御する主制御装置、遊技球の払い出し作動を制御する球払出制御装置、各制御装置や電子部品に電力を供給する電源ユニット、遊技施設側と信号や電力の入出力を行うターミナル基板等の各種制御装置や電子部品が取り付けられ、これらがコネクタケーブルで接続されてパチンコ機ＰＭが作動可能に構成される。
【００２１】
パチンコ機ＰＭは、上球皿４およびガラス扉３が閉止施錠された状態で遊技に供され、上球皿４の球受け皿に遊技球を貯留させて発射ハンドル６を操作することで遊技が開始される。発射ハンドル６において発射操作が行われると、上球皿４に貯留された遊技球が１球ずつ遊技球発射装置７に送り出され、遊技球発射装置のハンマーにより遊技領域ＰＡに打ち出されてパチンコゲームが展開される。
【００２２】
このように概要構成されるパチンコ機ＰＭにあって、遊技盤の中央部に大型の回転盤１２０を有する中央飾り１０が設けられている。以下図３〜図７の各図を参照しながら第１構成形態の中央飾り１０について説明する。ここで、図３は中央飾り１０における装飾機構部１００の分解斜視図、図４は遊技球の流れを説明するために上部カバーを取り外した状態で示す装飾機構部１００の正面図（部分断面図）、図５は装飾機構部の裏面側上部に設けられた回動軸変換構造１６０の平断面図、図６は遊技補助盤９の裏面側に設けられた駆動ユニット１８０の背面図、図７は図６中のVII−VII矢視方向の平面図である。
【００２３】
中央飾り１０は、大別的には、正逆方向に回転変位可能な回転盤１２０を有して遊技盤の中央部にネジ固定された装飾機構部１００と、装飾機構部１００と離隔して遊技補助盤に設けられ回転駆動力を発生する回転盤駆動モータ１４０と、装飾機構部１００と回転盤駆動モータ１４０との間に設けられて回転盤駆動モータ１４０が発生した回転駆動力を回転盤１２０に伝達する伝達機構１５０とから構成される。
【００２４】
装飾機構部１００は、中央に図柄表示装置１２の液晶画面を視認させるための窓口を有し装飾機構部の基体となるベース部材１１０、ベース部材１１０に回動可能に取り付けられ窓口の外側を回動する大型の回転盤１２０、ベース部材１１０の前側に連結されて装飾機構部の前方ケースを構成するとともに窓口下側に遊技球の転動ステージが設けられたフロント部材１３０などから構成される。
【００２５】
ベース部材１１０は、中央に図柄表示装置１２の液晶画面の大きさに合わせた矩形の窓口１１１ａが開口形成された基板部１１１、およびこの基板部１１１から前方に延びる囲壁部を有し、装飾機構部の後部ケースを形成するとともに装飾機構部における機構構造の取付ベースとなっている。基板部１１１には、回転盤１２０を回動自在に支持する支持ローラ１１２が窓口１１１ａを囲む対角位置に４箇所設けられるとともに、窓口上方には基板部を前後に貫通して回動入力軸１１３が回動自在に支持され、基板部の前面側に回転盤１２０を回動させる平歯車状の回動伝達ギヤ１１５、背面側に回動軸変換構造１６０が設けられている。
【００２６】
支持ローラ１１２には、次述する回転盤１２０のリングレール部１２２ａを受容して支持する凹状のレール支持溝が形成されており、リングレール部１２２ａを４箇所の支持ローラのレール支持溝に係合させて支持させることにより、対角位置にある支持ローラ１１２，１１２を相互に結ぶ交点を通って前後に延びる軸（仮想回動軸）を中心として回転盤１２０が鉛直面内で回動自在に支持されるようになっている。また、基板部１１１の前面側には回動伝達ギヤ１１５と隣接して回転盤１２０の回動角度位置を検出する位置検出器１１６が設けられるとともに、回転盤１２０の外周側に位置する各部に遊技展開状況に応じて点滅作動されるLED（発光素子）を搭載したLED基板が複数設けられている。
【００２７】
回転盤１２０は、遊技球を案内する誘導リング１２１、内歯のリングギヤを形成するギヤリング１２２、および誘導リング１２１とギヤリング１２２とを位置決めして一体に連結させるリテーナリング１２３からなり、これらが連結されて一体の回転盤１２０が形成される。
【００２８】
誘導リング１２１は、円環状の外殻リング部１２１ａと、左右の側壁および左右の側壁間を繋ぐ座面を有して前面開放の角形スコップ状をなし外殻リング部１２１ａから前方に突出する皿状ガイド部１２１ｂ、および隣接する皿状ガイド部１２１ｂ，１２１ｂの間に皿状ガイド部１２１ｂよりも幾分幅が狭く形成された溝状ガイド部１２１ｃからなり、例示する誘導リング１２１では皿状ガイド部１２１ｂと溝状ガイド部１２１ｃとを交互に各１２箇所づつ形成した構成例を示している。皿状ガイド部１２１ｂと溝状ガイド部１２１ｃとの間を仕切る側壁は外殻リング側１２１ａから前方に向けて先細状に形成され、皿状ガイド部１２１ｂおよび溝状ガイド部１２１ｃがともに前方に向けて広くなるように形成されるとともに、皿状ガイド部１２１ｂの座面が基端側から前方に向けてわずかに開いて（座面の内径が緩やかに拡大するように）形成されている。
【００２９】
ギヤリング１２２は、支持ローラに形成されたレール支持溝の溝幅よりも幾分小さめの前後方向厚さを有し外周側に突出して形成された円環状のリングレール部１２２ａと、ギヤリングの内周側に形成され回動伝達ギヤ１１５と噛合可能な回動リングギヤ１２５とを主体として構成され、図３では内周向きの回動リングギヤの成型性を考慮して、ギヤリングを１２０度ごとの３つの円弧状部材に分割成型し、これらを連結して３６０度全周のギヤリングを形成した構成例を示す。
【００３０】
誘導リング１２１とギヤリング１２２には、相互に嵌合する位置決め突起および嵌合孔が形成されており、これらを嵌合させることで３分割された円弧状のギヤリング１２２が円環状に形成されるとともに、両者の相対位置が周方向およびラジアル方向に位置決めされ、これらリング１２１，１２２の後方からリテーナリング１２３を装着してネジ止めすることで、誘導リング１２１とリテーナリング１２３との間にギヤリング１２２を挟み込むように固定して一体の回転盤１２０が構成される。
【００３１】
回転盤１２０は、ギヤリング１２２のリングレール１２２ａを４箇所の支持ローラ１１２のレール支持溝に係合させて支持させることにより、対角位置にある支持ローラ１１２，１１２を相互に結ぶ交点を通って前後に延びる軸（回動軸）を軸心として鉛直面内で回動自在に支持される。そして、回動伝達ギヤ１１５を回動リングギヤ１２５に噛合させて組付けることにより回動入力軸１１３の回転駆動力が回動伝達ギヤ１１５を介して回動リングギヤ１２５に伝達され、回転盤１２０が回動軸を軸心として鉛直面内で回転駆動される。
【００３２】
フロント部材１３０は、回転盤１２０の外側に位置して装飾機構部の前方ケースをなす装飾フレーム１３１、回転盤１２０の内側に位置して窓口１１１a の周囲に装飾枠を形成する中央フレーム１３２、装飾フレームの前面左右に設けられた導入通路１３３、中央フレームの下部に設けられた転動ステージ１３４および導出通路１３６、装飾フレーム１３１と中央フレーム１３２の前面上部を覆う上部カバー１３８などから構成される。
【００３３】
装飾フレーム１３１は、化粧板２１に開口形成されたルータ孔よりも広く張り出され装飾機構部１００を化粧板に取り付ける際の固定フランジの機能を備えた前面パネル部１３１ａと、この前面パネル部１３１ａの外周側で後方に延びる囲壁部、および前面パネルの内周側で後方に延びる円環状のガイドレール部１３１ｂなどからなり、ルータ孔内に隠れる囲壁部を除く各部には遊技盤に合わせた所定意匠が施されている。ガイドレール部１３１ｂの内径は、誘導リング１２１における皿状ガイド部１２１ｂの外径よりも幾分大きめに形成されるとともに、下部レール面が幾分後傾して形成され、下端中央部には遊技球を始動入賞装置２０に導くガイド溝１３１ｃが形成されている。
【００３４】
中央フレーム１３２は、外周側が誘導リング１２１における外殻リング部１２１ａの内径よりも幾分小さめの円形で、内周側が窓口１１１ａの開口面域に合わせた矩形の額縁状に形成され、ベース部材に設けられた回動伝達ギヤ１１５や位置検出器１１６等を覆い隠すように形成される。中央フレーム１３２における窓口の下側領域には、後述する導出通路１３６を形成する導出通路形成部材が取り付けられている。
【００３５】
装飾フレーム１３１の前面左右に、前面パネル部１３１ａから前方に突出して導入通路形成部材が取り付けられ、ここに導入通路１３３（１３３Ｌ，１３３Ｒ）が形成される。左右の各導入通路１３３は、それぞれ装飾フレームの左右側方に開口する導入口１３３ａと、中央の窓口側に開口するステージ流入口１３３ｂとを有して遊技球の外形よりも幾分大きめの通路幅および高さ有する矩形の樋状に形成されており、遊技盤面から導入口１３３ａに転入した遊技球を転動流下させて中央の転動ステージ１３４に導くようになっている。各導入通路１３３の途中にはこの通路を流下する遊技球の流下速度を緩和するための段差部１３３ｃが形成されている。
【００３６】
中央フレーム１３２の窓口下側領域には導出通路形成部材が取り付けられており、その上方に導入通路１３３（１３３Ｌ，１３３Ｒ）を通って窓口側に流入した遊技球を受け入れる転動ステージ１３４が配設される。
【００３７】
転動ステージ１３４は、平面視矩形で中央が低い椀状に形成され、中央部には平面視円形で球面状に形成された集合ステージ部１３４ａ、その外側に平面視楕円形で集合ステージ部に向けて下傾する誘導ステージ部１３４ｂが形成されている。転動ステージ１３４の上面には、この転動ステージに流入した遊技球がステージ上を一方向に転動する（例示する転動ステージ１３４では平面視において時計廻りに転動する）ように、誘導突起１３４ｃおよび誘導通路１３４ｄが形成されており、左右の導入通路１３３Ｌ，１３３Ｒを通って転動ステージ１３４に流入した遊技球が正面衝突することなく同一方向に転動して集合ステージ部１３４ａの中心に収束するようになっている。集合ステージ部１３４ａの中心部には、左右に並んで遊技球が落入可能な落入孔１３５（１３５Ｌ，１３５Ｒ）が開口形成されている。
【００３８】
転動ステージ下側の導出通路形成部材には、転動ステージの落入孔１３５を通って落下した遊技球を左右に振り分けて誘導リングに導く導出通路１３６が形成されている。左右の導出通路１３６（１３６Ｌ，１３６Ｒ）は、それぞれ左右の落入孔１３５Ｌ，１３５Ｒの直下に位置整合して開口する落入口１３６ａと、落入孔の斜め下方に位置して誘導リング１２１の内周上方に開口する導出口１３６ｂとを有し、落入孔１３５Ｌ，１３５Ｒに落入した遊技球をそれぞれの落入孔に対応した導出通路１３６Ｌ，１３６Ｒを流下させて左右側方の導出口１３６ｂ，１３６ｂから誘導リング１２１の内周上方に落下させるように構成されている。各導出通路１３６Ｌ，１３６Ｒは遊技球の外形よりも幾分大きめの通路幅および高さ有する矩形の樋状に形成され、各導出通路の前後の壁面にはこの通路を流下する遊技球の流下速度を緩和するためのリブが前後互い違いに立設されている。
【００３９】
フロント部材１３０は、回転盤１２０が取り付けられたベース部材１１０に、まず導出通路形成部材が取り付けられた中央フレーム１３２をネジ固定するとともに、導出通路形成部材の上方に転動ステージ１３４を装着して転動ステージの後端部をベース部材の受容スリット部に係合支持させ、その前方から装飾フレーム１３１を覆い被せるように装着して転動ステージ１３４の前端部を左右の導入通路形成部材に係合支持させて、ベース部材１１０の後面側から装飾フレーム１３１をネジ固定し、さらにこれらの前方から装飾フレーム１３１および中央フレーム１３３の前面上部を覆う上部カバー１３８を取り付けることでベース部材１１０に取り付けられる。そしてこれにより、ベース部材１１０、回転盤１２０、フロント部材１３０が一体に組み立てられて装飾機構部１００が構成される。
【００４０】
一方、遊技盤の下方に位置する遊技補助盤９の裏面側には、遊技盤の各種可動部材を駆動する駆動機構部が駆動ユニット１８０として設けられており、この駆動ユニット１８０に装飾機構部の回転盤１２０を回転駆動する回転盤駆動モータ１４０が設けられ、装飾機構部１００と回転盤駆動モータ１４０との間を結んで回転盤駆動モータ１４０が発生した回転駆動力を回転盤１２０に伝達する伝達機構１５０が設けられている（図２を参照）。
【００４１】
回転盤駆動モータ１４０は、減速機を内蔵して低速回転での回転トルクを向上させたギヤドステッピングモータであり、このモータを支持するモータ支持ブラケット１４６を介して駆動ユニット１８０の支持プレート１８１に取り付けられている。本構成例では支持プレート１８１に回転盤駆動モータ１４０のモータ外径よりも幾分大きめの挿通孔を形成してモータ後部を埋め込んで配設しており、回転駆動モータの駆動軸（出力軸）１４３の後方への突出量を抑制した構成にしている（図７を参照）。回転盤駆動モータ１４０は、裏セット盤に装備された主制御装置により作動が制御され、例えば発射ハンドル６に内蔵されたタッチセンサにより遊技者が発射ハンドルを把持したことが検出されたときにモータの回動を開始するように制御される。
【００４２】
駆動ユニット１８０は、回転盤１２０を駆動する回転盤駆動モータ１４０のほか、始動入賞口を拡縮駆動する始動入賞口開閉ソレノイド２４０や、アタッカー装置３０の開閉扉を開閉駆動する開閉扉ソレノイド３４１、大入賞口内のシーソー部材を揺動駆動するシーソー傾動ソレノイド３４２等、遊技盤に設けられた各種可動入賞装置の駆動源が取り付けられた駆動ユニットであり、支持プレート１８１の背面にこれらの各駆動源が搭載されてユニットを形成し、遊技補助盤９の裏面に一体的に着脱可能に構成されている（図６を参照）。
【００４３】
伝達機構１５０は、回転盤１２０の回動入力軸１１３まわりの回動を当該回動入力軸と交差する左右方向の軸まわりの回動に変換する回動軸変換構造１６０と、前後に延びる回転盤駆動モータの駆動軸１４３まわりの回動を当該駆動軸と交差する上下方向の軸まわりの回動に変換する駆動軸変換構造１７０と、可撓性を有して屈設可能であるとともに駆動軸１４３の回動作動を軸まわりの回動として回動入力軸１１３に伝送可能なフレキシブルシャフト１５２とを備え、伝達機構１５０が回転盤駆動モータ１４０の駆動軸１４３と回転盤１２０の回動入力軸１１３とを機械的に連結して回転盤駆動モータ１４０が発生した駆動力を回転盤１２０に伝達するように構成される。
【００４４】
回動軸変換構造１６０は、装飾機構部１００におけるベース部材１１０の裏面側に設けられており、回動入力軸１１３の後端部に固定された第１傘歯車１６１と、この第１傘歯車１６１と噛合する第２傘歯車１６２、および第２傘歯車１６２を第１傘歯車１６１に噛合させた状態で回転自在に支持するハウジング１６６などからなり、前後方向に延びる回動入力軸１１３まわりの回動を、回動入力軸１１３と直交する左右方向に延びる変換回動軸１６３まわりの回動に変換して伝達することで、前後に延びる回転盤１２０の回動軸（仮想回動軸）の軸方向を左右方向に変換して伝達するように構成される。
【００４５】
回動入力軸１１３の前端側にはキー溝が形成されており、同様のキー溝を有する回動伝達ギヤ１１５がキーを介して連結され、ベース部材１１０における基板部側の軸受ボスとその前方に取り付けられた支持プレート１１７との間に回転自在に支持される。また回転駆動軸１１３の後端部は外周面が平面取りされて軸直交の断面視においてＤ字状に形成される一方、第１傘歯車１６１には同様のＤ字状の連結孔および止めネジを螺合させるネジ孔が形成されており、第１傘歯車１６１を回動入力軸１１３の軸端に嵌入して穴付き止めネジを締め込むことで回動入力軸１１３の後端部に固定され、これにより伝達ギヤ１１５と第１傘歯車１６１とが回動入力軸１１３を介してトルク伝達可能に連結される。
【００４６】
変換回動軸１６３の右端部は、上記回動入力軸１１３と同様に外周面が平面取りされて軸直交の断面視においてＤ字状に形成され、第２傘歯車１６２にはＤ字状の連結孔および止めネジを螺合させるネジ孔が形成されており、第２傘歯車１６２を変換回動軸１６３軸端に嵌入して穴付き止めネジを締め込むことで変換回動軸１６３の右端部に固定される。回動変換軸１６３における軸中間の外周部にはスナップリング１６５を係止するリング溝、左端端の外周部には多条のスプライン（雄スプライン）が形成されている。
【００４７】
回動軸変換構造を収容するハウジング１６６には、変換回動軸１６３を回動自在に枢支する軸受ブッシュ１６４が設けられており、この軸受ブッシュ１６４に変換回動軸１６３を挿通させて、ハウジング外側に突出した変換回動軸１６３のリング溝にスナップリング１６５を嵌着することで、第２傘歯車１６２が回動自在に取り付けられる。そしてハウジング１６６を第１傘歯車１６１の後方を覆うように取り付けることで、第１傘歯車１６１と第２傘歯車１６２とが噛合し、これにより前後に延びる回動入力軸１１３の軸まわりの回動が、第１傘歯車１６１〜第２傘歯車１６２を介して左右に延びる変換回動軸１６３の軸まわりの回動に変換されて伝達される。ベース部材１１０の背面にはフレキシブルシャフトを固定する固定ブラケット１６７が設けられている。
【００４８】
駆動軸変換構造１７０は、駆動ユニット１８０に設けられており、回転盤駆動モータの駆動軸１４３の軸端に固定された第１ヘリカルギヤ１７１と、この第１ヘリカルギヤ１７１と噛合する第２ヘリカルギヤ１７２、および第２ヘリカルギヤ１７２を第１ヘリカルギヤ１７１に噛合させた状態で回転自在に支持する支持ブラケット１７６などからなり、前後方向に延びる駆動軸１４３まわりの回動を、駆動軸１４３と交差する上下方向に延びる変換駆動軸１７３まわりの回動に変換して伝達するように構成される。
【００４９】
駆動軸１４３の軸端部は、外周面が平面取りされて断面視Ｄ字状に形成される一方、第１ヘリカルギヤ１７１のボス部には止めネジを螺合させるネジ孔が形成されており、第１ヘリカルギヤ１７１を駆動軸１４３の軸端に嵌入して穴付き止めネジを螺合し、ネジ先端部を平面取り部に係合させて締結することで、第１ヘリカルギヤ１７１が駆動軸１４３の後端部に固定される。
【００５０】
また同様の構成を有する第２ヘリカルギヤ１７２を支持ブラケット１７６の軸受間に挿入して第１ヘリカルギヤ１７１と噛合させ、支持ブラケット１７６の上方から変換駆動軸１７３を嵌入して、第２ヘリカルギヤ１７２のボス部に螺合された穴付き止めネジを締結することで、第２ヘリカルギヤ１７２が変換駆動軸１７３の中間部に固定される。これにより、第１ヘリカルギヤ１７１と第２ヘリカルギヤ１７２とが噛合した状態で回動可能に支持され、前後に延びる駆動軸１４３の軸まわりの回動が、第１ヘリカルギヤ１７１〜第２ヘリカルギヤ１７２を介して上下に延びる変換駆動軸１７３の軸まわりの回動に変換されて伝達される。変換駆動軸１７３の上端外周部には上述した変換回動軸１６３と同様の多条のスプラインが形成され、支持ブラケット１７６の上部にはフレキシブルシャフトを固定する固定ブラケット１７７が形成されている。
【００５１】
駆動軸変換構造１７０と回動軸変換構造１６０との間を結んで、駆動軸１４３の回動作動を軸まわりの回動として回動入力軸１１３に伝送可能なフレキシブルシャフト１５２が設けられる。
【００５２】
フレキシブルシャフト１５２は、多条のワイヤを正逆交互に多層に巻き上げたインナーコイルと、このインナーコイルを軸まわりに回動自在に保持するアウターケーシングとからなり、フレキシブルシャフト１５２の両端には、インナコイルの端部に固着されてインナコイルとともに一体的に回動する端末金具１５３が設けられている。端末金具１５３には、前述した回動軸変換構造１６０の変換回動軸１６３の軸端部に形成されたスプライン、および駆動軸変換構造１７０の変換駆動軸１７３の軸端部に形成されたスプラインと、嵌脱自在なスプライン（雌スプライン）が形成されている。
【００５３】
そこで、フレキシブルシャフト１５２の一方の端末金具１５３を回動軸変換構造１６０の変換回動軸１６３に嵌合させ、他方の端末金具１５３を駆動軸変換構造１７０の変換駆動軸１７３に嵌合させて、アウターケーシングをそれぞれ固定ブラケット１６７，１７７に固定することで、変換回動軸１６３と変換駆動軸１７３とがフレキシブルシャフト１５２によりトルク伝達可能に連結されて、装飾機構部１００と回転盤駆動モータ１４０との間を機械的に連結する伝達機構１５０が形成され、装飾機構部１００、回転盤駆動モータ１４０および伝達機構１５０からなる中央飾り１０が構成される。
【００５４】
これにより、駆動軸１４３と回動入力軸１１３とがフレキシブルシャフト１５２により機械的に連結されて、回転盤駆動モータの駆動軸１４３の回動が、駆動軸１４３〜駆動軸変換構造１７０〜フレキシブルシャフト１５２〜回動軸変換構造１６０〜回動入力軸１１３および回動伝達ギヤ１１５を介して回動伝達ギヤと噛合する回動リングギア１２５に伝達され、回転盤駆動モータ１４０の駆動方向に応じた回転方向（時計廻りまたは反時計廻り）および回転速度で回転盤１２０が回動される。
【００５５】
中央飾り１０における回転盤駆動モータ１４０の作動は主制御装置により制御され、例えば前述したように、発射ハンドル６に内蔵されたタッチセンサにより遊技者が発射ハンドル６を把持したことが検出されたときに、主制御装置が回転盤駆動モータ１４０を起動させ、回転盤１２０を一定速度で時計廻りに回動させる。
【００５６】
具体的な遊技展開状況における中央飾りの作用について、図４を参照しながら説明すると、遊技盤８に打ち出された遊技球の多くは装飾機構部１００の上部カバー１３８に沿って装飾機構部１００の左右側方を転動落下するが、一部の遊技球が遊技釘に弾かれて左または右の導入口１３３ａに転入し、導入通路１３３（１３３Ｌ，１３３Ｒ）を通ってステージ流入口１３３ｂから転動ステージ１３４に流入する。転動ステージ１３４に流入した遊技球は、誘導突起１３４ｃまたは誘導通路１３４ｄに案内されて正面衝突することなく平面視時計廻りにステージ上を転動し、集合ステージ部１３４ａの中心に収束して左右何れかの落入孔１３５（１３５Ｌ，１３５Ｒ）から導出通路１３６（１３６Ｌ，１３６Ｒ）に転入する。
【００５７】
そして例えば右側の導出通路１３６Ｒに転入した遊技球は、右斜め下方に流下して右側の導出口１３６ｂから誘導リング１２１の内周上方に落下する。このとき回転盤１２０は既に時計廻りに回動されており、導出口１３６ｂから誘導リング１２１の内周上方に落下した遊技球は、その落下時に下方に位置する誘導リングの皿状ガイド部１２１ｂまたは溝状ガイド部１２１ｃの何れかに落下する。
【００５８】
ここで皿状ガイド部１２１ｂおよび溝状ガイド部１２１ｃは、ともに幅が前方に向けて広くなる（側壁が先細状に狭くなる）ように形成され、皿状ガイド部１２１ｂでは遊技球を受け止める座面が前方に向けてわずかに下傾して形成されている。一方、溝状ガイド部１２１ｃでは皿状ガイド部のような座面はなく、溝状ガイド部１２１ｃに落下した遊技球は装飾フレーム１３１のガイドレール部１３１ｂに支持されるが、ガイドレール部１３１ｂは後方に向けてわずかに下傾して形成されている。
【００５９】
このため、右側の導出口１３６ｂからから誘導リング１２１の内周上方に落下した遊技球のうち、皿状ガイド部１２１ｂに落下した遊技球は、皿状ガイド部１２１ｂの回動とともに時計廻りに回動しつつ、前方に下傾する座面に誘導されて前方に移動し、中央近傍の適当な位置から遊技盤面に落下する。また、溝状ガイド部１２１ｃに落下した遊技球は、後傾するガイドレール部１３１ｂに支持された状態で溝状ガイド部１２１ｃとともに時計廻りに回動し、装飾フレーム１３１の下部中央に形成されたガイド溝１３１ｃに落下してその直下に位置する始動入賞装置２０に導かれる。
【００６０】
一方、左側の導出通路１３６Ｌに転入した遊技球は、左斜め下方に流下して左側の導出口１３６ｂから誘導リング１２１の内周上方に落下し、その落下時に下方に位置する誘導リングの皿状ガイド部１２１ｂまたは溝状ガイド部１２１ｃの何れかに落下する。ここで皿状ガイド部１２１ｂおよび溝状ガイド部１２１ｃは、ともに幅が前方に向けて広くなるように（側壁が先細のテーパ状に）形成され、皿状ガイド部１２１ｂでは遊技球を受け止める座面が前方に向けてわずかに下傾して形成されている。
【００６１】
このため、左側の導出口１３６ｂからから誘導リング１２１の内周上方に落下した遊技球のうち、皿状ガイド部１２１ｂに落下した遊技球は、皿状ガイド部１２１ｂの回動とともに時計廻りに回動しつつ、前方に下傾する座面および先細テーパ状の側壁に誘導されて前方に移動し、始動入賞装置２０近傍よりも左側の適当な位置から遊技盤面に落下する。また、溝状ガイド部１２１ｃに落下した遊技球は、後傾するガイドレール部１３１ｂに支持された状態で溝状ガイド部１２１ｃとともに時計廻りに回動するが、誘導リングの回動に伴い先細テーパ状の側壁の傾斜に誘導されて前方に導かれ、始動入賞装置２０よりも左側の遊技盤面に落下する。
【００６２】
以上は回転盤１２０が時計廻りに回動されている状況について説明したが、この回動方向はゲーム展開に応じて変化させることができ、例えば、一定の時間の経過とともに回転盤の回動方向を反転させ、あるいは始動入賞口に遊技球が落入して入賞が検出されたときに回転盤１２０の回動方向を反転させるように構成することができる。これにより、左右の転入通路１３３Ｌ，１３３Ｒから転動ステージ１３４に転入した遊技球が、左右何れの落入孔１３５Ｌ，１３５Ｒに転落するか、皿状ガイド部１２１ｂと溝状ガイド部１２１ｃの何れに落下するか、及び回転盤１２０の回動方向が時計廻りか反時計廻りか等の種々の条件により始動入賞装置２０への入賞確率を多様に変化させることができる。
【００６３】
なお、回転盤１２０の回動方向を一方向（例えば時計廻り）のみに設定することもでき、このような場合に右側の導出通路１３６Ｒを左側の落入孔の下方まで延長して左右の落入孔１３５Ｌ，１３３Ｒに転落した遊技球を、ともに右側の導出通路１３６Ｒから右方の導出口に導いて落下させるように構成しても良い。このような構成においても左右の落入孔１３５に転落するタイミングに応じて、皿状ガイド部１２１ｂと溝状ガイド部１２１ｃの何れに落下するかが変化し、始動入賞装置２０への入賞確率を変化させることができる。
【００６４】
次に、第２構成形態の中央飾り１０′について、図８を参照しながら説明する。ここで、図８はベース部材の基板部１１１を剥離した状態で遊技盤８を斜め後方から見た斜視図である。なお既述した中央飾り１０と同様部分に同一番号を付して重複説明を省略する。
【００６５】
中央飾り１０′は、正逆方向に回転変位可能な回転盤１２０を有して遊技盤８の中央部にネジ固定された装飾機構部１００と、装飾機構部１００と離隔して遊技盤８の背面に取り付けられ回転駆動力を発生する回転盤駆動モータ１４０と、装飾機構部１００と回転盤駆動モータ１４０との間に設けられて回転盤駆動モータ１４０が発生した回転駆動力を回転盤１２０に伝達する伝達機構１５０′とから構成される。
【００６６】
そして伝達機構１５０′は、可撓性を有して屈設可能であるとともに回転盤駆動モータ１４０の駆動軸１４３の回動作動を軸まわりの回動として回動入力軸１１３に伝送可能なフレキシブルシャフト１５２を備え、伝達機構１５０′が回転盤駆動モータ１４０の駆動軸１４３と回転盤１２０の回動入力軸１１３とを機械的に連結して回転盤駆動モータ１４０が発生した駆動力を回転盤１２０に伝達するように構成される。
【００６７】
すなわち、本構成の中央飾り１０は、回転盤１２０の駆動源である回転盤駆動モータ１４０が遊技盤８の背面に取り付けられている点と、伝達機構に回動軸変換構造１６０および駆動軸変換構造１７０が設けられていない点を除き、既述した中央飾り１０の構成と同様である。
【００６８】
そこで、以下相違点について簡潔に説明すると、装飾機構部１００では、ベース部材１１０に回動可能に支持された回動入力軸１１３の後端部に、前述した変換回動軸１６３の軸端と同様のスプラインが形成され、ベース部材１１０の背面にフレキシブルシャフト１５２のアウターケーシングを固定する固定ブラケット１６７′が設けられている。
【００６９】
回転盤駆動モータ１４０は、装飾機構部１００の側方に位置し、駆動軸１４３が回動入力軸１１３と同一高さで回動入力軸の方向（背面視左方）に向く取り付け姿勢で遊技盤８の背面にネジ固定されている。駆動軸１４３の先端部には、前述した変換駆動軸１７３と同様のスプラインが形成され、遊技盤８の背面にフレキシブルシャフト１５２のアウターケーシングを固定する固定ブラケット１７７′が設けられている。
【００７０】
そこで、フレキシブルシャフト１５２の一方の端末金具１５３を回動入力軸１１３の軸端にスプライン係合させ、他方の端末金具１５３を駆動軸１４３の軸端にスプライン係合させて、アウターケーシングをそれぞれ固定ブラケット１６７′，１７７′に固定することで、回動入力軸１１３と駆動軸１４３とがフレキシブルシャフト１５２によりトルク伝達可能に連結されて、装飾機構部１００と回転盤駆動モータ１４０との間を機械的に連結する伝達機構１５０′が形成され、装飾機構部１００、回転盤駆動モータ１４０および伝達機構１５０′からなる中央飾り１０′が構成される。
【００７１】
これにより、回転盤駆動モータの駆動軸１４３の回動が、駆動軸１４３〜フレキシブルシャフト１５２〜回動入力軸１１３および回動伝達ギヤ１１５を介して回動リングギア１２５に伝達され、回転盤駆動モータ１４０の駆動方向に応じた回転方向（時計廻り又は反時計廻り）および回転速度で回転盤１２０が回動される。以降、回転盤１２０の具体的な作動は上述した中央飾り１０と同様である。
【００７２】
以上説明したような中央飾り（遊技装置）１０，１０′では、回転盤（可動部材）１２０を駆動する回転盤駆動モータ１４０を装飾機構部１００から離隔して遊技補助盤９に配設し、これらの間に可撓性を有して屈設可能なフレキシブルシャフト（伝送部材）１５２を備えた伝達機構１５０，１５０′を設けて機械的に連結して、回転盤駆動モータ１４０が発生した駆動力を回転盤１２０に伝達するように構成している。このため、中央飾りの設計の自由度を拡大して遊技盤に大型の装飾機構部を装備できるとともに、ルータ孔の寸法的制約を受けることなく可動部材の運動量に応じた容量の駆動源を採用できるため、回転盤１２０のような大型の可動部材を大きく変位させることが可能になり、従来困難とされたダイナミックな動作を実現することができる。
【００７３】
また、伝達機構１５０，１５０′に、可撓性を有して屈設可能であり回転駆動モータの回動作動を軸まわりの回動として伝送可能なフレキシブルシャフト１５２を設けているため、回転盤駆動モータ１４０の回動駆動力を軸まわりの回動としてそのまま伝送して回転盤１２０を回転作動させることができ、機構構成を簡明化可能であるとともに運動方向を変換する場合に生じる変換損失等を削減することができる。
【００７４】
また、回転盤駆動モータ１４０を前枠側に設けた中央飾り１０では、遊技盤８の生産コストを低減して盤面換えに要する費用を低減可能であることに加えて、盤面換えにおいて回転盤駆動モータ１４０を継続使用することで省資源に寄与することができ、また回収した遊技盤のリサイクル工数およびコストを低減することができる。
【００７５】
さらに、伝達機構に回動軸変換構造１６０を備えた中央飾り１０では、回転盤１２０を回動させる回動入力軸１１３の方向を回動入力軸と交差する適宜な方向に変換することができ、例示したように前後に延びる回動入力軸１１３の方向を回動入力軸と交差する左右方向に変換して取り出すことで、フレキシブルシャフト１５２を遊技盤の背面に沿って配設できるため、フレキシブルシャフト１５２の機体後方への張り出し寸法を抑制することができ、比較的大きめの曲げ半径が必要とされる高トルク伝達型のフレキシブルシャフトを用いた場合でも、組付けを容易化し且つ弾球遊技機を薄型に構成することができる。
【００７６】
また伝達機構に駆動軸変換構造１７０を備えた中央飾り１０では、回転盤駆動モータ１４０を配設位置に応じた適宜な取付姿勢で配設できるとともに、回転盤駆動モータ１４０の出力方向をこの駆動軸と交差する適宜な方向に変換して取り出すことができる。このため、例示したように回転盤駆動モータ１４０を駆動軸が後方を向くように配設し、前後に延びる駆動軸の方向を装飾機構部１００が配設された遊技盤に向かう方向に変換してフレキシブルシャフト１５２を接続することができる。これにより、回転盤駆動モータ１４０の配設位置及び取付姿勢の自由度を確保するとともに、フレキシブルシャフト１５２の曲げ半径に起因する張り出し寸法を抑制することができ、比較的大きめの曲げ半径が必要とされる高トルク伝達型のフレキシブルシャフトを用いた場合でも、組付けを容易化し且つ弾球遊技機を薄型に構成することができる。
【００７７】
次に、遊技盤に設けられた始動入賞装置（電動チューリップ型の可動入賞装置）２０について、図９〜１１を参照しながら説明する。ここで、図９ (ａ)(ｂ)は第１構成形態の始動入賞装置２０の概要構成および動作変位を示す説明図、図１０(ａ)(ｂ)は第２構成形態の始動入賞装置２０′の概要構成および動作変位を示す説明図、図１１(ａ)(ｂ)は第３構成形態の始動入賞装置２１の概要構成および動作変位を示す説明図であり、各図における(ａ)図と(ｂ)図は、それぞれ始動入賞口を閉じた状態と開いた状態を示している。以下第１構成形態の始動入賞装置２０から順に説明する。
【００７８】
始動入賞装置２０は、左右に揺動開閉可能なチューリップ羽根を有して遊技盤に取り付けられた入賞機構部２００と、入賞機構部２００と離隔して遊技補助盤９に設けられ回転駆動力を発生する始動入賞口開閉ソレノイド２４０と、入賞機構部２００と始動入賞口開閉ソレノイド２４０との間に設けられて始動入賞口開閉ソレノイド２４０が発生した回転駆動力を入賞機構部２００のチューリップ羽根に伝達する伝達機構２５０とから構成される。
【００７９】
入賞機構部２００は、この入賞機構部の基体となるベース部材２１０（図９ではベース部材２１０の支持プレート部のみを記載している）と、このベース部材２１０の前面側に支軸２２３を中心として左右に揺動開閉可能に枢支された左右のチューリップ羽根２２０（２２０Ｌ，２２０Ｒ）と、ベース部材２１０の裏面側に回動入力軸２３３を中心として回動可能に枢支された伝達アーム２３０などを有して構成される。
【００８０】
左右のチューリップ羽根２２０Ｌ，２２０Ｒには、それぞれ後方に突出する係合ピン２２２，２２２が形成される一方、ベース部材２１０にはこれらの係合ピンの揺動軌跡に合わせてベース部材２１０を前後に貫通する円弧状のピン挿通孔２１２，２１２が形成されており、チューリップ羽根２２０を取り付けたときに係合ピン２２２がピン挿通孔２１２を通ってベース部材２１０の裏面側に突出して配設され、ピン挿通孔２１２の形成範囲で左右に開閉可能になっている。
【００８１】
伝達アーム２３０には、左右のチューリップ羽根２２０Ｌ，２２０Ｒをともに閉じた状態、またはともに開いた状態にしたときの、左右の係合ピン２２２，２２２の中間に位置して回動入力軸２３３が設けられるとともに、左右の係合ピン２２２，２２２と位置整合してこれらの係合ピンを受容する長孔状のピン受容孔２３２，２３２が形成されており、左右のピン受容孔２３２に係合ピン２２２を係合させて、回動入力軸２３３をベース部材２１０に枢結することで、伝達アーム２３０が上下に揺動可能に取り付けられる。
【００８２】
そして、このように左右のチューリップ羽根２２０Ｌ，２２０Ｒおよび伝達アーム２３０がベース部材２１０に取り付けられると、伝達アーム２３０を回動入力軸２３２まわりに回動（揺動）させたときに、ピン受容孔２３２と係合する係合ピン２２２がピン受容孔内２３２を長孔の延びる方向にスライドしつつ上下に変位し、チューリップ羽根２２０が支軸２２３まわりに揺動されて、図９(ｂ)に示すように始動入賞口２０５が拡開され、図９(ａ)および図１に示すように始動入賞口２０５が縮小される。
【００８３】
一方、この入賞機構部２００の駆動源たる始動入賞口開閉ソレノイド２４０は、遊技盤８と離隔して遊技補助盤側の駆動ユニット１８０に設けられている（図６を参照）。本構成形態では始動入賞口開閉ソレノイド２４０として、リターンスプリングが内蔵されたスプリングリターン式のロータリーソレノイドを用いた構成例を示しており、主制御装置から開放指令信号が出力（ON）されたときに駆動軸（ロータ軸）２４３を図９(ｂ)に付記する矢印方向に回動させ、開放指令信号がOFFされたときに、内蔵されたリターンスプリングのバネ力により駆動軸２４３が反対方向に回動されて回動前の角度位置に復帰される。始動入賞口開閉ソレノイド２４０は駆動軸２４３が上方を向く取り付け姿勢でソレノイド支持ブラケット２４８を介して駆動ユニット１８０に取り付けられる。
【００８４】
そして入賞機構部２００と始動入賞口開閉ソレノイド２４０との間を結んで伝達機構２５０が設けられ、始動入賞口開閉ソレノイド２４０が発生した回転駆動力を入賞機構部２００のチューリップ羽根に伝達するように構成される（図２を参照）。
【００８５】
伝達機構２５０は、可撓性を有して屈設可能であるとともに駆動源の回動作動を軸まわりの回動として伝送可能なフレキシブルシャフト２５２を主体として構成される。フレキシブルシャフト２５２は、前述したフレキシブルシャフト１５２と同様に、多条のワイヤを正逆交互に多層に巻き上げたインナーコイルと、このインナーコイルを軸まわりに回動自在に保持するアウターケーシングとからなり、フレキシブルシャフト２５２の両端にインナコイルとともに一体的に回動する端末金具２５３が設けられている。
【００８６】
端末金具２５３には、入賞機構の回動入力軸２３３および入賞球開閉ソレノイドの駆動軸２４３とそれぞれ嵌脱自在で、嵌合させた状態でトルク伝達可能な嵌合構造が形成されており、例えば既述した端末金具１５３と同様のスプラインを用いた嵌合構造や、回動軸変換構造１６０において説明したような断面視Ｄ字状の軸および孔の嵌合構造などを利用することができる。入賞機構部２００および駆動ユニット１８０には、フレキシブルシャフト２５２のアウターケーシングを固定保持する固定構造２７７が設けられている（図６を参照）。
【００８７】
そこで、フレキシブルシャフト２５２の一方の端末金具２５３を回動入力軸２３３の軸端に嵌合させ、他方の端末金具２５３（不図示）を駆動軸２４３の軸端に嵌合させて、アウターケーシングをそれぞれ固定構造に固定することで、回動入力軸２３３と駆動軸２４３とがフレキシブルシャフト２５２によりトルク伝達可能に連結されて、入賞機構部２００と始動入賞口開閉ソレノイド２４０とを機械的に連結する伝達機構２５０が形成され、入賞機構部２００、始動入賞口開閉ソレノイド２４０および伝達機構２５０からなる始動入賞装置２０が構成される。
【００８８】
これにより、始動入賞口開閉ソレノイドの駆動軸２４３の回動が、駆動軸２４３〜フレキシブルシャフト２５２〜回動入力軸２３３を介して伝達アーム２３０に伝達されて伝達アームを上下に揺動させ、伝達アームのピン受容孔２３２とチューリップ羽根の係合ピン２２２との係合によりチューリップ羽根２２０が支軸２２３まわりに揺動される。
【００８９】
始動入賞装置２０の作動は主制御装置により制御され、例えば、遊技盤８に設けられた複数の固定入賞具１５のうち、いずれか特定の固定入賞具への入賞が検出されたときに、主制御装置が始動入賞口開閉ソレノイド２４０に開放指令信号を出力して駆動軸２４３を図８(ｂ)に示す方向に回動させ、左右のチューリップ羽根２２０Ｌ，２２０Ｒを揺動させて始動入賞口２０５を所定時間拡大させる。また所定時間の経過後には開放指令信号をOFFとし、始動入賞口開閉ソレノイド２４０に内蔵されたリターンスプリングのバネ力により駆動軸２４３を反対方向に回動させて始動入賞口２０５を縮小させる。
【００９０】
次に、第２構成形態の始動入賞装置２０′について、図１０を参照して説明する。始動入賞装置２０′は、左右に揺動開閉可能なチューリップ羽根を有して遊技盤に取り付けられた入賞機構部２００′と、入賞機構部２００と離隔して遊技補助盤９に設けられ回転駆動力を発生する始動入賞口開閉ソレノイド２４０と、入賞機構部２００′と始動入賞口開閉ソレノイド２４０との間に設けられて始動入賞口開閉ソレノイド２４０が発生した回転駆動力を入賞機構部２００′のチューリップ羽根に伝達する伝達機構２５０とから構成される。すなわち始動入賞装置２０′は、図９と図１０とを比較しても明らかなように、前述した始動入賞装置２０と入賞機構部２００′の構成のみが相違しており、以下では始動入賞装置２０と同様の構成部分に同一番号を付して重複説明を省略し、入賞機構部２００と相違する部分を中心に説明する。
【００９１】
入賞機構部２００′は、この入賞機構部の基体となるベース部材２１０と、ベース部材２１０の前面側に支軸２２３を中心として左右に揺動開閉可能に枢支された左右のチューリップ羽根２２０（２２０Ｌ，２２０Ｒ）と、ベース部材２１０の裏面側に回動入力軸２３３を中心として回動可能に枢支された伝達アーム２３０′およびリンクアーム２３１などから構成される。左右のチューリップ羽根２２０Ｌ，２２０Ｒには、前述同様の係合ピン２２２，２２２が後方に突出成型され、またベース部材２１０にはこれらの係合ピンの揺動軌跡に合わせた円弧状のピン挿通孔２１２，２１２が形成されて、チューリップ羽根２２０を取り付けたときに係合ピン２２２がピン挿通孔２１２を通ってベース部材２１０の裏面側に突出して配設され、ピン挿通孔２１２の形成範囲で左右に開閉可能になっている。
【００９２】
伝達アーム２３０′は、前述した伝達アーム２３０と同様にアーム中間部に回動入力軸２３３を有する一方、伝達アーム２３０′の左右両端部にはリンクアーム２３１，２３１が相対揺動自在に枢結され、各リンクアーム２３１の先端に係合ピン２２２の軸径よりもわずかに大きめに形成された円孔状のピン受容孔２３２′が形成されている。そこで左右のリンクアームの各ピン受容孔２３２′に係合ピン２２２を嵌合させて、回動入力軸２３３をベース部材２１０に枢結することで、伝達アーム２３０′が上下に揺動可能に、左右のリンクアーム２３１，２３１がそれぞれ左右のチューリップ羽根２２０Ｌ，２２０Ｒと伝達アーム２３０′との間を連結して変位可能に配設される。
【００９３】
そして、このように左右のチューリップ羽根２２０Ｌ，２２０Ｒ、伝達アーム２３０′、およびリンクアーム２３１，２３１が取り付けられると、伝達アーム２３０′を回動入力軸２３３まわりに回動（揺動）させたときに、リンクアーム２３１が伝達アーム２３０′および係合ピン２２２に対して相対揺動しつつ係合ピン２２２を上下に変位させ、チューリップ羽根２２０が支軸２２３まわりに揺動されて、図１０(ｂ)に示すように始動入賞口２０５が拡開され、図１０(ａ)および図１に示すように始動入賞口２０５が縮小される。
【００９４】
入賞機構部２００′の駆動源である始動入賞口開閉ソレノイド２４０は、前述した入賞機構部２００と同様に駆動ユニット１８０に設けられ、入賞機構部２００′と始動入賞口開閉ソレノイド２４０との間を結ぶ伝達機構２５０が設けられて、始動入賞口開閉ソレノイド２４０が発生した回転駆動力を入賞機構部２００のチューリップ羽根に伝達するように構成される（図２および図６を参照）。
【００９５】
このため、フレキシブルシャフト２５２の一方の端末金具２５３を回動入力軸２３３の軸端に嵌合させ、他方の端末金具２５３（不図示）を駆動軸２４３の軸端に嵌合させて、アウターケーシングをそれぞれ固定構造に固定することで、回動入力軸２３３と駆動軸２４３とがフレキシブルシャフト２５２によりトルク伝達可能に連結されて、入賞機構部２００′と始動入賞口開閉ソレノイド２４０とを機械的に連結する伝達機構２５０が形成され、入賞機構部２００′、始動入賞口開閉ソレノイド２４０および伝達機構２５０からなる始動入賞装置２０′が構成される。
【００９６】
これにより、始動入賞口開閉ソレノイドの駆動軸２４３の回動が、駆動軸２４３〜フレキシブルシャフト２５２〜回動入力軸２３３を介して伝達アーム２３０′に伝達されて伝達アームを上下に揺動させ、この伝達アーム２３０′に枢結されたリンクアームのピン受容孔２３２′とチューリップ羽根の係合ピン２２２との係合によりチューリップ羽根２２０が支軸２２３まわりに揺動される。始動入賞装置２０′の作動は、前述した始動入賞装置２０と同様に主制御装置により制御され、図１０(ａ) (ｂ)に示すように始動入賞口２０５が拡縮される。
【００９７】
このように、以上説明した始動入賞装置（遊技装置）２０，２０′では、チューリップ羽根（可動部材）２２０を駆動する始動入賞口開閉ソレノイド２４０を入賞機構部２００，２００′から離隔して遊技補助盤９に配設し、これらの間に可撓性を有して屈設可能なフレキシブルシャフト（伝送部材）２５２を備えた伝達機構２５０を設けて機械的に連結して、始動入賞口開閉ソレノイド２４０が発生した駆動力をチューリップ羽根２２０に伝達するように構成している。このため、近年の画像表示装置の大型化に伴って画像表示装置とアウト口との間に位置する始動入賞装置の設計に苦慮する背景下でも、設計の自由度を拡大して可動式の入賞機構を装備でき、またルータ孔の寸法的制約を受けることなく可動部材の運動量に応じた容量の駆動源を採用できるため、比較的大型のチューリップ羽根を開閉作動させるような機構構成が可能になり、従来困難とされたダイナミックな動作を実現することができる。
【００９８】
また、伝達機構２５０に、可撓性を有して屈設可能であるとともに始動入賞口開閉ソレノイド２４０の回動作動を軸まわりの回動として伝送可能なフレキシブルシャフト２５２を設けているため、始動入賞口開閉ソレノイド２４０の回動駆動力を軸まわりの回動としてそのまま伝送してチューリップ羽根２２０を開閉作動させることができ、機構構成を簡明化できるとともに運動方向を変換する場合に生じる変換損失等を削減することができる。
【００９９】
さらに、始動入賞口開閉ソレノイド２４０を前枠側に設けているため、遊技盤８の生産コストを低減して盤面換えに要する費用を低減可能であることに加えて、盤面換えにおいて始動入賞口開閉ソレノイド２４０を継続使用することで省資源に寄与することができ、また回収した遊技盤のリサイクル工数およびコストを低減することができる。
【０１００】
次に第３構成形態の始動入賞装置２１について、図１１を参照して説明する。始動入賞装置２１は、左右に揺動開閉可能なチューリップ羽根を有して遊技盤に取り付けられた入賞機構部２０１と、入賞機構部２０１と離隔して遊技補助盤９に設けられて直線駆動力を発生する始動入賞口開閉ソレノイド２４１と、入賞機構部２０１と始動入賞口開閉ソレノイド２４１との間に設けられて始動入賞口開閉ソレノイド２４１が発生した駆動力を入賞機構部２００のチューリップ羽根に伝達する伝達機構２５１とから構成される。
【０１０１】
入賞機構部２０１は、この入賞機構部の基体となるベース部材２１１（図１１ではベース部材２１１の支持プレート部のみを記載している）と、ベース部材２１１の前面側に前述した支軸２２３と同様の支軸を中心として左右に揺動開閉可能に枢支された左右のチューリップ羽根２２１（２２１Ｌ，２２１Ｒ）と、ベース部材２１１の裏面側に回動軸２３４を軸として上下に揺動可能に枢支された伝達部材２３５などを有して構成される。
【０１０２】
左右のチューリップ羽根２２１Ｌ，２２１Ｒには、それぞれ後方に突出する係合ピン２２２，２２２が左右対称位置に形成される一方、ベース部材２１１にはこれらの係合ピンの揺動軌跡に合わせてベース部材２１１を前後に貫通する円弧状のピン挿通孔２１２が形成されており、チューリップ羽根２２１を取り付けたときに係合ピン２２２がピン挿通孔２１２を通ってベース部材２１１の裏面側に突出して配設され、ピン挿通孔２１２の形成範囲で左右に開閉可能になっている。
【０１０３】
伝達部材２３５は、左右のチューリップ羽根の係合ピン２２２，２２２に対応した伝達アーム部２３５ａ，２３５ａと、こららの左右の伝達アーム部２３５ａ，２３５ａを左右の係合ピン２２２，２２２の配設間隔に合わせたピッチで一体に連結する連結杆２３５ｂ、および連結杆２３５ｂを上方に付勢する付勢バネ（不図示）などからなり、左右の伝達アーム部２３５ａの基端側に回動軸２３４、先端側に係合ピン２２２を上下に挟み込むように係合するＹ字状のピン係合子２３６が形成されている。伝達部材２３５は、左右のピン係合子２３６をそれぞれ係合ピン２２２に係合させて、回動軸２３４をベース部材２１１に枢結することでベース部材２１１に上下に揺動可能に取り付けられる。
【０１０４】
そして、このように左右のチューリップ羽根２２１Ｌ，２２１Ｒと伝達部材２３５がベース部材２１１に取り付けられると、伝達部材２３５を回動軸２３４を支点として上下に揺動させたときに、ピン係合子２３６が係合ピン２２２を押圧して上下に変位させ、チューリップ羽根２２１が支軸（２２３）まわりに揺動されて、図１１(ｂ)に示すように始動入賞口２０５が拡開され、また図１１(ａ)および図１に示す始動入賞口２０５が縮小される。
【０１０５】
この入賞機構部２０１の駆動源である始動入賞口開閉ソレノイド２４１は、遊技盤８と離隔して遊技補助盤側の駆動ユニット１８０に設けられている。本構成形態では始動入賞口開閉ソレノイド２４１として、リターンスプリングが装着されたスプリングリターン式の直動ソレノイドを用いた構成例を示しており、主制御装置から開放指令信号が出力(ON)されたときに駆動軸（プランジャ）２４５を引き込んで縮小させ、開放指令信号がOFFされたときに、リターンスプリングのバネ力により駆動軸２４５を伸長させて縮小前の基準位置に復帰させる。始動入賞口開閉ソレノイド２４１は駆動軸２４５が上方を向く取り付け姿勢で駆動ユニット１８０に取り付けられる。
【０１０６】
そして入賞機構部２０１と始動入賞口開閉ソレノイド２４１との間を結んで伝達機構２５１が設けられ、始動入賞口開閉ソレノイド２４１が発生した駆動力を入賞機構部２０１のチューリップ羽根に伝達するように構成される。
【０１０７】
伝達機構２５１は、可撓性を有して屈設可能なコントロールケーブル２５４を主体として構成される。コントロールケーブル２５４は、インナーワイヤー２５４ａとインナーワイヤーを軸方向に摺動自在に保持するアウターケーシング２５４ｂとからなるプルケーブルであり、インナーワイヤーの軸方向に直線駆動力を伝達する。インナーワイヤー２５４ａの両端には丸形圧着端子状の端末金具２５５が固着されている。
【０１０８】
一方、伝達部材２３５における連結杆２３５ｂの中央部には端末金具２５５をネジ固定するためのネジ受容ボスが形成され、始動入賞口開閉ソレノイド２４１における駆動軸２４５の先端部には端末金具２５５をピン結合するための受容スリットおよびピン孔を有する二山ナックル形態の連結金具２４６が取り付けられている。また入賞機構部２０１および駆動ユニット１８０には、ともに詳細図示省略するが、コントロールケーブル２５４のアウターケーシング２５４ｂを固定保持する固定構造が設けられている。
【０１０９】
そこで、コントロールケーブル２５４の一方の端末金具２５５を連結杆のネジ受容ボスにねじ止めし、他方の端末金具２５５を連結金具２４６にスプリングピン２４７でピン結合して、アウターケーシング２５４ｂをそれぞれ固定構造に固定することで、伝達部材２３５と駆動軸２４５とがコントロールケーブル２５４により連結されて、入賞機構部２０１と始動入賞口開閉ソレノイド２４１とを機械的に連結する伝達機構２５１が形成され、入賞機構部２０１、始動入賞口開閉ソレノイド２４１および伝達機構２５１からなる始動入賞装置２１が構成される。
【０１１０】
これにより、始動入賞口開閉ソレノイドの伸縮動が、駆動軸２４５〜コントロールケーブル２５４を介して伝達部材２３５に伝達され、伝達部材２３５を回動軸２３４を中心として上下に揺動させて、伝達アームのピン係合子２３６とチューリップ羽根の係合ピン２２２との係合によりチューリップ羽根２２１が支軸（２２３）まわりに揺動される。
【０１１１】
始動入賞装置２１の作動は主制御装置により制御され、例えば、遊技盤８に設けられた複数の固定入賞具１５のうち、いずれか特定の固定入賞具への入賞が検出されたときに、主制御装置が始動入賞口開閉ソレノイド２４１に開放指令信号を出力して駆動軸２４５を縮作動させ、伝達部材２３５を下方に揺動させて左右のチューリップ羽根２２１Ｌ，２２１Ｒを開かせ、始動入賞口２０５を所定時間拡大させる。また所定時間の経過後には開放指令信号をOFFにしてリターンスプリングのバネ力により駆動軸２４５を伸長作動させる。このとき伝達部材２３５は連結杆２３５ｂを上方に付勢する付勢バネのバネ力によって上方に揺動され、左右のチューリップ羽根２２１Ｌ，２２１Ｒを閉じさせて始動入賞口２０５を縮小させる。
【０１１２】
以上説明した始動入賞装置（遊技装置）２１では、チューリップ羽根（可動部材）２２１を駆動する始動入賞口開閉ソレノイド２４１を入賞機構部２０１から離隔して遊技補助盤９に配設し、これらの間に可撓性を有して屈設可能なコントロールケーブル２５４を備えた伝達機構２５１を設けて機械的に連結して、始動入賞口開閉ソレノイド２４１が発生した駆動力をチューリップ羽根２２１に伝達するように構成している。このため、画像表示装置の大型化に伴って画像表示装置とアウト口との間に位置する始動入賞装置の設計に苦慮する背景下でも、設計の自由度を拡大して可動式の入賞機構を装備でき、またルータ孔の寸法的制約を受けることなく可動部材の運動量に応じた容量の駆動源を採用できるため、比較的大型のチューリップ羽根を開閉作動させるような機構構成が可能になり、従来困難とされたダイナミックな動作を実現することができる。
【０１１３】
また、始動入賞口開閉ソレノイド２４１を前枠側に設けているため、遊技盤８の生産コストを低減して盤面換えに要する費用を低減可能であることに加えて、盤面換えにおいて始動入賞口開閉ソレノイド２４１を継続使用することで省資源に寄与することができ、また回収した遊技盤のリサイクル工数およびコストを低減することができる。
【０１１４】
次に、始動入賞装置２０の下側に位置して遊技盤に設けられたアタッカー装置３０について、図１２〜図２０の各図を参照しながら説明する。ここで、図１２(ａ)(ｂ)は開閉扉を開く前と後の扉開閉機構部を主として示す斜め前方からの斜視図、図１３(ａ)(ｂ)はシーソー部材を左傾させる前と後の球誘導機構部を主として示す斜め後方からの斜視図、図１４はアタッカー装置３０を斜め後方から見た分解斜視図、図１５は流路形成部材を取り外した状態で扉開閉機構部および球誘導機構部を示す背面図、図１６は扉開閉機構部および球誘導機構部に用いられるカップリングの平面図、図１７は開閉扉との係合関係を併せて示すカップリングの分解斜視図、図１８は球誘導機構部のロッカーアームとの係合関係を併せて示すカップリングの分解斜視図、図１９(ａ)(ｂ)は開閉扉の動作変位を説明するための説明図（扉開閉機構部の側面図）、図２０(ａ)(ｂ)はシーソー部材の動作変位を説明するための説明図（球誘導機構部の要部正面図および側面図）である。なお以降のアタッカー装置の説明では、装置各部を背面方向から見た各図を参照しながら説明することが多いため、左右方向については原則として背面視における左右をもって左・右と表記する。
【０１１５】
アタッカー装置３０は、その装置構成を大別すると、前後に揺動可能な開閉扉および左右に傾動可能なシーソー部材を有して遊技盤８に取り付けられた入賞機構部３００、入賞機構部３００と離隔して遊技補助盤９に設けられた駆動部３４０、および入賞機構部３００と駆動部３４０との間に設けられて駆動源が発生した駆動力を入賞機構部３００に伝達する伝達機構３５０から構成される。
【０１１６】
また機能的には、開閉扉を開閉させる扉開閉機能とシーソー部材を傾動させる球誘導機能とを備えた複合可動入賞装置であり、入賞機構部３００は扉開閉機構部３２０と球誘導機構部３３０、駆動部３４０は扉開閉機構部３２０の駆動源である扉開閉ソレノイド３４１と球誘導機構部３３０の駆動源であるシーソー傾動ソレノイド３４２、伝達機構３５０は扉開閉機構部３２０と扉開閉ソレノイド３４１とを連結する扉開閉伝達機構３５１と、球誘導機構部３３０とシーソー傾動ソレノイド３４２とを連結する球誘導伝達機構３５２から構成される。
【０１１７】
入賞機構部３００は、正面中央に大入賞口３０１を有し内部に二つの流下通路が形成されたベース部材３１０と、ベース部材３１０に揺動可能に取り付けられた開閉扉３２１を有して大入賞口３０１を開閉する扉開閉機構部３２０と、ベース部材３１０に左右に傾動可能に枢支されたシーソー部材３３１を有して大入賞口内に落入した遊技球を左右何れかの流下通路に誘導する球誘導機構部３３０等から構成される。
【０１１８】
ベース部材３１０は、図１４に示すように、大入賞口３０１を有する前面パネル３１１と、前面パネル３１１の後方に開閉扉３２１を挟み込むようにねじ止めされて扉開閉機構部３２０および球誘導機構部３３０の取り付けベースとなるハウジング３１２と、左右に遊技球を流下させる球排出路を有してハウジング３１２の後方にねじ止めされる球通路形成部材３１３とからなる。
【０１１９】
前面パネル３１１の中央には、パネル面を前後に貫通して横長方形の大入賞口３０１が開口形成され、パネル面の裏面側には、大入賞口３０１の下部左右に開閉扉３２１の回動軸３２１ｂを支持するコの字状の軸支部３１１ｂ，３１１ｂが後方に開いて形成され、大入賞口３０１の左右側方に、ハウジング３１２をねじ止めするためのネジ受容ボス３１１ｃが４箇所後方に突出成型されている。前面パネル３１１の上部には入賞機構部３００を遊技盤８に取り付ける際の基準となる位置決め突起３１１ｐが２箇所後方に突出成型されるとともに、遊技盤にネジ固定するためのサラ孔形態の取付孔３１１ｈが前面パネルの上下左右４箇所に開口形成されている。
【０１２０】
ハウジング３１２は、中央に枠状に形成された球受容部３０２と、背面視において球受容部の右側に形成された開閉機構収容部３０３、球受容部３０２の下側および背面視左側に形成された誘導機構収容部３０４の三部から構成される。球受容部３０２では、遊技球を受け入れる支持面の中央部が切り欠かれて球誘導機構部３３０のシーソー部材３３１を収容する収容部が形成され、その左右に後方に下傾する第１誘導通路３０５Ｒおよび第２誘導通路３０５Ｌが形成されている。開閉機構収容部３０３および誘導機構収容部３０４では、左右の壁面にカップリング３６０の回動軸３６１ａを支持するコの字状の軸支溝３１２ａが後方に開いて形成され、第２誘導通路３０５Ｌの下側には球誘導機構部３３０における揺動アーム３３２の揺動軸３３２ｂを枢支する軸受穴３１２ｂが形成され、その右側にはシーソー部材３３１の揺動軸３３１ｃを枢支する軸受穴３１２ｃが形成されている。
【０１２１】
流路形成部材３１３には、球受容部３０２の後方に位置して球受容部３０２に流入した遊技球が流下可能な第１領域および第２領域の二つの領域が左右に分かれて形成されている。第１領域は第１誘導通路３０５Ｒの後方に位置整合して形成された第１領域流下通路３０６Ｒ、第２領域は第２誘導通路３０５Ｌの後方に位置整合して形成された第２領域流下通路３０６Ｌを主体として構成され、各誘導通路により誘導された遊技球をそれぞれの領域流下通路を通して後方に導き下面の排出口から排出させる。第１領域流下通路３０６Ｒおよび第２領域流下通路３０６Ｌには、遊技球の通過を検出する第１領域通過検出器３０７Ｒおよび第２領域通過検出器３０７Ｌが設けられている。なお、第１領域および第２領域は、パチンコ機の型式に応じて適宜に定義することができるが、本実施形態では第１領域をいわゆる特定領域、第２領域を非特定領域として適用する場合について説明する。
【０１２２】
流路形成部材３１３の左右側部は、領域流下通路が形成された中央部よりも低く形成されており、ここに上記第１領域通過検出器３０７Ｒおよび第２領域通過検出器３０７Ｌの装着部が設けられるとともに、その前方には開閉機構収容部３０３および誘導機構収容部３０４に設けられた軸支溝３１２ａと位置整合してカップリングの回動軸３６１ａを後方から支持する軸支突起３１３ａが４箇所前方に突出して形成され、またハウジング側の前面側には、シーソー部材の揺動軸３３１ｂを枢支する軸受穴およびロッカーアームの揺動軸３３２ｂを枢支する軸受穴が形成されている。
【０１２３】
ハウジング３１２には、流路形成部材３１３を位置決めする位置決め突起３１２ｐが２箇所後方に突出成型され、流路形成部材３１３を固定するネジを受容するネジ受容孔３１２ｈが４箇所形成される一方、流路形成部材３１３には、これらと位置整合して位置決め突起を嵌合受容する突起受容孔３１３ｐおよびネジを挿通させるネジ挿通孔３１３ｈが各対応して形成されている。
【０１２４】
扉開閉機構部３２０は、大入賞口３０１を開閉する開閉扉３２１と、駆動部３４０から伝達された直線駆動力を開閉扉３２１に伝達するカップリング３６０を主体として構成される。開閉扉３２１は左右に側壁部を有し大入賞口３０１の開口面域に合わせて形成された扉部３２１ａと、扉部３２１ａの左右の側壁部からそれぞれ側方に突出して形成された回動軸３２１ｂ、右側の回動軸の軸端部に設けられ開閉扉３２１を閉じた角度姿勢で軸直交の斜め後方に開くコの字状のピン受け部３２１ｃなどからなり、ピン受け部３２１ｃの溝幅は次述するカップリング３６０の係合ピン３６１ｃのピン径に合わせて形成されている。扉部３２１ａの内面側には、開閉扉３２１を開放した状態で受け止めた遊技球を球受容部３０２の中央（シーソー部材３３１）に導くガイド壁３２１ｗが形成されている。
【０１２５】
球誘導機構部３３０は、球受容部３０２に揺動可能に設けられたシーソー部材３３１と、シーソー部材３３１の下側に設けられてシーソー部材３３１を揺動させるロッカーアーム３３２と、駆動部３４０から伝達された直線駆動力をロッカーアーム３３２を介してシーソー部材３３１に伝達するカップリング３６０とを主体として構成される。シーソー部材３３１は、第１誘導通路３０５Ｒと第２誘導通路３０５Ｌとの間に位置して遊技球を受け止める平坦な誘導床３３１ａと、この誘導床から下方に延びるプレート部３３１ｂ、およびプレート部３３１ｂの左右中央部に前後に突出成型された揺動軸３３１ｃなどからなり、揺動軸３３１ｃの左方には、次述するロッカーピン３３２ｄのピン径に合わせた溝幅で、わずかに横長の長孔状のリンク溝３３１ｄが、プレート部３３１ｂを貫通して形成されている（図２０を参照）。
【０１２６】
ロッカーアーム３３２は、左右に細長く延びるアーム部３３２ａと、このアーム部３３２ａの略中央に前後に突出成型された揺動軸３３２ｂ、アーム部３３２ａの左端側に前方上方に屈曲されたうえ後方にコの字状に開いて形成されたピン受け部３３２ｃ、アーム部３３２ａの右端側に前方に突出成型されたロッカーピン３３２ｄなどからなり、ピン受け部３３２ｃの上下片の内面には、ロッカーアーム３３２ａの揺動角度位置によらずカップリングの係合ピン３６１ｃと滑らかに係合するように、円弧状の係合リブが前後に延びて形成されている。
【０１２７】
一方、扉開閉機構部３２０および球誘導機構部３３０に設けられたカップリング３６０は、図１４、図１７および図１８の各図に分解状態の斜視図を示し、図１６に組み立てた状態の平面図を示すように、取り付け姿勢において左右に延びる回動軸３６１ａを有しカップリングの基体となる第１軸部材３６１と、第１軸部材の回動軸３６１ａに回動可能に枢支された第２軸部材３６２と、回動軸３６１ａの外周部に第１軸部材３６１と第２軸部材３６２との間を結んで配設され、一方の軸部材に作用する回転トルクを他方の軸部材に伝達する捻りコイルバネ３６３から構成される。
【０１２８】
第１軸部材３６１は、取り付け姿勢において左右に延びる回動軸３６１ａと、この回動軸から軸直交方向（各図では前方）に延びるフランジ部３６１ｂと、フランジ部３６１ｂの先端部に回動軸３６１ａと平行に突出成型された係合ピン３６１ｃ、回動軸３６１ａの外周面に軸に沿って突出成型され、捻りコイルバネ３６３の内周を支持するとともに、フランジ部３６１ｂと第２軸部材３６２との間隔を一定に保持するスペーサの機能を兼ね備えた支持リブ３６１ｄ等から構成される。
【０１２９】
第２軸部材３６２は、第１軸部材の回動軸３６１ａと嵌脱自在な軸受孔を有して短円筒状に形成された円環部３６２ａと、円環部３６２ａから接線方向（各図では上方）に延びるボス部３６２ｂ、およびボス部３６２ｂの先端部に形成されたネジ受容穴３６２ｃなどからなる。捻りコイルバネ３６３は、回動軸に形成された支持リブ３６１ｄの外径よりも大きめの内径を有して所定巻き数に巻き上げられたコイル部３６３ａと、このコイル部の両端にフランジ部３６１ｂとボス部３６２ｂの外面間隔および相対的な角度位置に合わせて形成されたフック部３６３ｂ，３６３ｂとから構成される。
【０１３０】
カップリング３６０は、第１軸部材の支持リブ３６１ｄの外周に捻りコイルバネ３６３を装着して一端のフック部３６３ｂをフランジ部３６１ｂに係止させ、その側方から回動軸３６１ａに第２軸部材の円環部３６２ａを嵌合して枢支させ、他端のフック部３６３ｂをボス部３６２ｂに係止させることで、第１軸部材３６１、捻りコイルバネ３６３および第２軸部材３６２が連結されて一体的に構成される。そして、何れか一方の軸部材を回動軸まわりに回動させたときに、回転トルクが捻りコイルバネ３６３を介して他方の軸部材に伝達され、他方の軸部材が回動軸まわりに回動される。
【０１３１】
このように第１軸部材３６１と第２軸部材３６２との間を捻りコイルバネ３６３で連結したカップリング３６０では、入力軸側の軸部材が過度に回動されたときや、出力軸側が無理に回動されたとき等のように、入出力軸間の回動角度が一致しない場合であっても、捻りコイルバネ３６３が撓んで過剰なトルク分を吸収し、カップリング３６０や入出力の軸部材に連結された各部材が損傷を受けないようになっている。なお、カップリング３６０では第１軸部材３６１および第２軸部材３６２の何れを入力軸としても良いが、本構成では第２軸部材３６２を入力軸、第１軸部材３６１を出力軸として用いた構成例を示す。
【０１３２】
そして、以上説明した各部材が組み立てられてアタッカー装置３０が形成される。すなわち、前面パネルの左右の軸支部３１１ｂに開閉扉の回動軸３２１ｂを支持させてその後方からハウジング３１２をネジ固定することで、開閉扉３２１が前面パネル３１１とハウジング３１２との間に揺動自在に枢支され、ハウジング３１２における開閉機構収容部３０３の左右の軸支溝３１２ａ，３１２ａにカップリング３６０における回動軸３６１ａの左右端部を支持させ、係合ピン３６１ｃを開閉扉のピン受け部３２１ｃに係合させる。
【０１３３】
またハウジング３１２の軸受穴３１２ｃにシーソー部材３３１の揺動軸３３１ｃを嵌入して揺動軸３３１ｃの前端側を枢支させ、ハウジング３１２の軸受穴３１２ｂにロッカーアーム３３２の揺動軸３３２ｂを嵌入して揺動軸３３２ｂの前端側を枢支させるとともに、ロッカーアームのロッカーピン３３２ｄをシーソー部材のリンク溝３３１ｄに嵌入して、シーソー部材３３１とロッカーアーム３３２とを係合連結させる。次いでハウジング３１２における誘導機構収容部３０４の左右の軸支溝３１２ａ，３１２ａにカップリング３６０における回動軸３６１ａの左右端部を支持させ、係合ピン３６１ｃをロッカーアームのピン受け部３６１ｃに係合させる。
【０１３４】
なお左右のカップリング３６０（以下、左右のカップリング３６０を区別して称するときに、背面視右側のカップリング３６０に添え字Ｒを付して３６０Ｒ、背面視左側のカップリング３６０に添え字Ｌを付して３６０Ｌと記載する）を装着する際に、予めカップリング３６０Ｒ，３６０Ｌのボス部３６２ｂ，３６２ｂにそれぞれコントロールケーブル３５３，３５４の端末金具３５３ｃ，３５４ｃをネジ固定しておく。
【０１３５】
そしてこれらの後方から流路形成部材３１３を覆い被せ、シーソー部材の揺動軸３３１ｃおよびロッカーアーム３３２の揺動軸３３２ｂの各後端側をそれぞれ軸受穴を嵌入して枢支させ、また左右カップリングにおける回動軸３６１ａの軸端部を４箇所の軸支突起３１３ａにより後方から支持させて、流路形成部材３１３をハウジング３１２にネジ固定する。
【０１３６】
これにより、ベース部材３１０に扉開閉機構部３２０および球誘導機構部３３０が設けられた入賞機構部３００が構成される。入賞機構部３００は、前面パネル３１１に形成された位置決め突起３１１ｐを利用して遊技盤８に位置決めし、上下左右４箇所の取付孔３１１ｈにサラコネジを挿通して締め込むことで遊技盤８に取り付けられる。
【０１３７】
扉開閉機構部３１０では、カップリング３６０Ｒのボス部３６２ｂを後方に傾動させたときに、第２軸部材３６２の回動が捻りコイルバネ３６３を介して第１軸部材３６１に伝達され、第１軸部材３６１が回動軸３６１ａを中心として同一方向（図１９における反時計廻り）に回動する。そして回動軸３６１ａの回動とともに係合ピン３６１ｃが上方に揺動し、係合ピン３６１ｃと係合するピン受け部３２１ｃが上動されて回動軸３２１ｂの軸まわりに回動され、開閉扉３２１が回動軸３２１ｂを中心として前方に揺動されて、大入賞口３０１が開放される（図１９(ｂ)を参照）。
【０１３８】
この状態からカップリング３６０Ｒのボス部３６２ｂを前方に傾動させると、第２軸部材３６２の回動が捻りコイルバネ３６３を介して第１軸部材３６１に伝達され、第１軸部材３６１が回動軸３６１ａを中心として同一方向（図１９における時計廻り）に回動する。そして第１軸部材３６１の回動とともに係合ピン３６１ｃが下方に揺動し、係合ピン３６１ｃと係合するピン受け部３２１ｃが下動されて回動軸３２１ｂの軸まわりに回動され、開閉扉３２１が回動軸３２１ｂを中心として上方に揺動されて、大入賞口３０１が閉鎖される（図１９(ａ)を参照）。
【０１３９】
球誘導機構部３３０では、カップリング３６０Ｌのボス部３６２ｂを後方に傾動させたときに、第２軸部材３６２の回動が捻りコイルバネ３６３を介して第１軸部材３６１に伝達され、第１軸部材３６１が回動軸３６１ａを中心として同一方向（図２０中の側面図における時計廻り）に回動する。そして第１軸部材３６１の回動とともに上方に揺動する係合ピン３６１ｃにより、係合ピンと係合するピン受け部３３２ｃが上動されてロッカーアーム３３２が揺動軸３３２ｂの軸まわりに揺動され、相互に係合するロッカーピン３３２ｄおよびリンク溝３３１ｄを介してシーソー部材３３１が揺動軸３３１ｃの軸まわりに正面視における右傾方向に揺動される（図２０(ｂ)を参照）。
【０１４０】
この状態からカップリング３６０Ｌのボス部３６２ｂを前方に傾動させると、第２軸部材３６２の回動が捻りコイルバネ３６３を介して第１軸部材３６１に伝達され、第１軸部材３６１が回動軸３６１ａを中心として同一方向（図２０中の側面図における反時計廻り）に回動する。そして回動軸３６１ａの回動とともに下方に揺動する係合ピン３６１ｃにより係合ピンと係合するピン受け部３３２ｃが下動されてロッカーアーム３３２が揺動軸３３２ｂの軸まわりに揺動され、相互に係合するロッカーピン３３２ｄおよびリンク溝３３１ｄを介してシーソー部材３３１が揺動軸３３１ｃの軸まわりに正面視における左傾方向に揺動される（図２０(ａ)を参照）。
【０１４１】
一方、この入賞機構部３００の駆動部３４０は、扉開閉機構部３２０の駆動源である扉開閉ソレノイド３４１と、球誘導機構部３３０の駆動源であるシーソー傾動ソレノイド３４２からなり、遊技盤８と離隔して遊技補助盤側の駆動ユニット１８０に設けられている（図６を参照）。
【０１４２】
扉開閉ソレノイド３４１は、リターンスプリングを装備したスプリングリターン式の直動ソレノイドであり、主制御装置から扉開放指令信号が出力(ON)されたときに駆動軸（プランジャ）３４３を引き込んで縮小させ、扉開放指令信号がOFFされたときに、リターンスプリングのバネ力により駆動軸３４３を伸長させて縮小前の基準位置に復帰させる。扉開閉ソレノイド３４１は駆動軸３４３が上方を向く取り付け姿勢で駆動ユニット１８０に取り付けられる。
【０１４３】
シーソー傾動ソレノイド３４２は、上記扉開閉ソレノイド３４１と同様にリターンスプリングを装備したスプリングリターン式の直動ソレノイドであり、主制御装置から第２領域誘導指令信号が出力(ON)されたときに駆動軸（プランジャ）３４４を引き込んで縮小させ、第２領域誘導指令信号がOFFされたときに、リターンスプリングのバネ力により駆動軸３４４を伸長させて縮小前の基準位置に復帰させる。シーソー傾動ソレノイド３４２は、扉開閉ソレノイド３４１と並んで、駆動軸３４４が上方を向く取り付け姿勢で駆動ユニット１８０に取り付けられる。
【０１４４】
そして入賞機構部３００と駆動部３４０との間を結んで伝達機構３５０が設けられる。伝達機構３５０は、扉開閉機構部３２０と扉開閉ソレノイド３４１とを連結する扉開閉伝達機構３５１と、球誘導機構部３３０とシーソー傾動ソレノイド３４２とを連結する球誘導伝達機構３５２とからなり、扉開閉伝達機構３５１は可撓性を有して屈設可能な扉開閉コントロールケーブル３５３を、球誘導伝達機構３５２は可撓性を有して屈設可能な球誘導コントロールケーブル３５４を主体として構成される。
【０１４５】
これらのコントロールケーブル３５３，３５４は、ともにインナーワイヤー３５３ａ，３５４ａと、インナーワイヤーを軸方向に摺動自在に保持するアウターケーシング３５３ｂ，３５４ｂとからなるプッシュプルケーブルであり、インナーワイヤーの軸方向に往復方向に直線駆動力を伝達する。各インナーワイヤー３５３ａ，３５４ａの両端部には、それぞれ丸形圧着端子状の端末金具３５３ｃ，３５４ｃが固着されている。
【０１４６】
一方、扉開閉ソレノイドの駆動軸３４３の先端部には、端末金具３５３ｃを装着するための受容スリット、および受容した端末金具３５３ｃを挟み込んでネジ固定するためのクランプ構造が設けられた連結金具３４３ｃが取り付けられ、シーソー傾動ソレノイドの駆動軸３４４の先端部には、端末金具３５３ｃを装着するための受容スリット、および受容した端末金具３５４ｃを挟み込んでネジ固定するためのクランプ構造が設けられた連結金具３４４ｃが取り付けられている。また入賞機構部３００および駆動ユニット１８０には、扉開閉コントロールケーブル３５３、球誘導コントロールケーブル３５４のアウターケーシングを固定保持する固定構造が設けられている。
【０１４７】
そこで、扉開閉コントロールケーブル３５３の一方の端末金具３５３ｃをカップリング３６０Ｒにおけるボス部のネジ受容穴３６２ｃにねじ止めし（既述）、他方の端末金具３５３ｃを扉開閉ソレノイド３４１の連結金具３４３ｃにネジ固定して、アウターケーシング３５３ｂを固定構造により固定することで、カップリング３６０Ｒの第２軸部材３６２と扉開閉ソレノイド３４１の駆動軸３４３とが扉開閉コントロールケーブル３５３により連結され、扉開閉機構部３１０と扉開閉ソレノイド３４１とを機械的に連結する扉開閉伝達機構３５１が形成される。
【０１４８】
また球誘導コントロールケーブル３５４の一方の端末金具３５４ｃをカップリング３６０Ｌにおけるボス部のネジ受容穴３６２ｃにねじ止めし（既述）、他方の端末金具３５４ｃをシーソー傾動ソレノイド３４２の連結金具３４４ｃにネジ固定して、アウターケーシング３５４ｂを固定構造により固定することで、カップリング３６０Ｌの第２軸部材３６２とシーソー傾動ソレノイド３４２の駆動軸３４４とが球誘導コントロールケーブル３５４により連結され、球誘導機構部３２０とシーソー傾動ソレノイド３４２とを機械的に連結する球誘導伝達機構３５２が形成される。
【０１４９】
そして以上により、入賞機構部３００と駆動部３４０とが伝達機構３５０により連結されアタッカー装置３０が構成される。
【０１５０】
これにより、扉開閉ソレノイド３４１に扉開放指令信号を出力して扉開閉ソレノイド３４１を縮作動させたときに、ソレノイドの吸引力（直線駆動力）が連結金具３４３ｃおよび端末金具３５３ｃを介して扉開閉コントロールケーブル３５３のインナーワイヤー３５３ａに伝達され、インナーワイヤー３５３ａを引き込んでカップリング３６０Ｒのボス部３６２ｂを後方に傾動させて、第２軸部材３６２を図１９における反時計廻りに回動させる。第２軸部材３６２の回動は捻りコイルバネ３６３を介して第１軸部材３６１に伝達され、第１軸部材３６１が回動軸３６１ａを中心として同一方向に回動する。そして第１軸部材３６１の回動とともに上方に揺動する係合ピン３６１ｃにより、開閉扉３２１のピン受け部３２１ｃが上動されて回動軸３２１ｂの軸まわりに回動され、開閉扉３２１が回動軸３２１ｂを中心として前方に揺動されて、大入賞口３０１が開放される（図１９(ｂ)を参照）。
【０１５１】
一方、この状態から扉開放指令信号をOFFにすると、ソレノイドに装着されたリターンスプリングのバネ力により駆動軸３４３が押し出され、この押し出し力（直線駆動力）が連結金具３４３ｃおよび端末金具３５３ｃを介して扉開閉コントロールケーブル３５３のインナーワイヤー３５３ａに伝達されて、インナーワイヤー３５３ａを押し出してカップリング３６０Ｒのボス部３６２ｂを前方に傾動させ、第２軸部材３６２を図１９における時計廻りに回動させる。第２軸部材３６２の回動は捻りコイルバネ３６３を介して第１軸部材３６１に伝達され、第１軸部材３６１が回動軸３６１ａを中心として同一方向に回動する。そして第１軸部材３６１の回動とともに下方に揺動する係合ピン３６１ｃにより、開閉扉３２１のピン受け部３２１ｃが下動されて回動軸３２１ｂの軸まわりに回動され、開閉扉３２１が回動軸３２１ｂを中心として上方に揺動されて、大入賞口３０１が閉鎖される（図１９(ａ)を参照）。
【０１５２】
またシーソー傾動ソレノイド３４２に第２領域誘導指令信号を出力してシーソー傾動ソレノイド３４２を縮作動させると、ソレノイドの吸引力（直線駆動力）が連結金具３４４ｃおよび端末金具３５４ｃを介して球誘導コントロールケーブル３５４のインナーワイヤー３５４ａに伝達され、インナーワイヤー３５４ａを引き込んでカップリング３６０Ｌのボス部３６２ｂを後方に傾動させて、第２軸部材３６２を図２０中の側面図における時計廻りに回動させる。第２軸部材３６２の回動は捻りコイルバネ３６３を介して第１軸部材３６１に伝達され、第１軸部材３６１が回動軸３６１ａを中心として同一方向に回動する。そして第１軸部材３６１の回動とともに上方に揺動する係合ピン３６１ｃにより、ロッカーアーム３３２のピン受け部３３２ｃが上動されてロッカーアーム３３２が揺動軸３３２ｂの軸まわりに揺動され、相互に係合するロッカーピン３３２ｄおよびリンク溝３３１ｄを介してシーソー部材３３１が揺動軸３３１ｃの軸まわりに正面視における右傾方向に揺動される（図２０(ｂ)を参照）。
【０１５３】
この状態から第２領域誘導指令信号をOFFにすると、ソレノイドに装着されたリターンスプリングのバネ力により駆動軸３４４が押し出され、この押し出し力（直線駆動力）が連結金具３４４ｃおよび端末金具３５４ｃを介して球誘導コントロールケーブル３５４のインナーワイヤー３５４ａに伝達され、インナーワイヤー３５４ａを押し出してカップリング３６０Ｒのボス部３６２ｂを前方に傾動させて、第２軸部材３６２を図２０中の側面図における反時計廻りに回動させる。第２軸部材３６２の回動は捻りコイルバネ３６３を介して第１軸部材３６１に伝達され、第１軸部材３６１が回動軸３６１ａを中心として同一方向に回動する。そして第１軸部材３６１の回動とともに下方に揺動する係合ピン３６１ｃにより、ロッカーアーム３３２のピン受け部３３２ｃが下動されてロッカーアーム３３２が揺動軸３３２ｂの軸まわりに揺動され、相互に係合するロッカーピン３３２ｄおよびリンク溝３３１ｄを介してシーソー部材３３１が揺動軸３３１ｃの軸まわりに正面視における左傾方向に揺動される（図２０(ａ)を参照）。
【０１５４】
アタッカー装置３０の作動は主制御装置により制御され、例えば、前述した始動入賞装置２０に遊技球が落入して内部抽選が行われ、いわゆる大当たりに該当して特別遊技が開始されるときに、主制御装置がアタッカー装置３０に扉開放指令信号を出力して開閉扉３２１を前方に揺動展開させ大入賞口３０１を開放させる。これにより開閉扉３２１の閉鎖状態で前方を通過していた遊技球が落入可能となり、前方に揺動展開された開閉扉３２１の扉部３２１ａに受け止められて大入賞口３０１から球受容部３０２に流入する。このとき扉部３２１ａに受け止められた遊技球は扉部３２１ａの左右に形成されたガイド壁３２１ｗに案内されて球受容部３０２の中央部に導かれ、シーソー部材３３１の誘導床３３１ａの上面に流入する。
【０１５５】
特別遊技の開始時においては、第２領域誘導指令信号がOFFの状態に設定されており、第２シーソー部材３３１は、図１３(ａ)および図１５中の実線で示すように、誘導床３３１ａが右傾した状態になっている。このため、球受容部３０２に流入した遊技球は右傾した誘導床３３１ａに誘導されて第１誘導通路３０５Ｒを通り、後方に下傾する第１誘導通路３０５Ｒの傾斜に従って第１領域流下通路３０６Ｒに流入する。そして、この球通路を転動流下して第１領域通過検出器３０７Ｒを通過し、下端の排出口から遊技盤裏面の球寄せカバー１９に排出される。
【０１５６】
主制御装置は、例えば２９秒程度の所定時間内に第１領域通過検出器３０７Ｒにより遊技球の通過が検出されたときに、ラウンド更新条件をクリアした旨のフラグを生成するとともに、アタッカー装置３０に第２領域誘導指令信号を出力してシーソー部材３３１を反時計廻りに揺動させ、図１３(ｂ)および図１５中の二点鎖線で示すように、誘導床３３１ａを左傾した状態に設定させる。このため、以降球受容部３０２に流入した遊技球は左傾した誘導床３３１ａに誘導されて第２誘導通路３０５Ｌを通り、後方に下傾する第２誘導通路３０５Ｌの傾斜に従って第２領域流下通路３０６Ｌに流入する。そして、この球通路を転動流下して第２領域通過検出器３０７Ｌを通過し、下端の排出口から遊技盤裏面の球寄せカバー１９に排出される。
【０１５７】
主制御装置は、上記所定時間が経過したとき、または所定時間内であっても第１領域通過検出器３０７Ｒおよび第２領域通過検出器３０７Ｌにより検出された遊技球の数量が、例えば１０個程度の所定数量に達したときに、扉開放指令信号をOFFにして開閉扉３２１を閉止させるとともに、第２領域誘導指令信号をOFFにしてシーソー部材３３１を時計廻りに揺動させ誘導床３２１ａが右傾した初期状態に復帰させる。そしてラウンド更新条件がクリアされている場合には、上記した開閉扉３２１の開放およびシーソー部材３３１の揺動を繰り返して行わせ、ラウンド更新条件がクリアされていない場合および所定回数のラウンドが満了したときに、扉開放指令信号および第２領域誘導指令信号をともにOFFに維持して初期状態で待機させる。
【０１５８】
このように、以上説明したアタッカー装置（遊技装置）３０では、入賞機構部３００と駆動部３４０とを離隔して配設し、これらの間を伝達機構３５０により連結して駆動部３４０が発生した駆動力を入賞機構部３００に伝達するように構成している。
【０１５９】
すなわち、開閉扉（可動部材）３２１を駆動する扉開閉ソレノイド３４１を扉開閉機構部３２０から離隔して遊技補助盤９に配設し、これらの間に可撓性を有して屈設可能な扉開閉コントロールケーブル３５３を備えた扉開閉伝達機構３５１により機械的に連結して、扉開閉ソレノイド３４１が発生した駆動力を開閉扉３２１に伝達するように構成している。またシーソー部材（可動部材）３３１を駆動するシーソー傾動ソレノイド３４２を球誘導機構部３３０から離隔して遊技補助盤９に配設し、これらの間に可撓性を有して屈設可能な球誘導コントロールケーブル３５４を備えた扉開閉伝達機構３５２により機械的に連結して、シーソー傾動ソレノイド３４２が発生した駆動力をシーソー部材３３１に伝達するように構成している。
【０１６０】
このため、画像表示装置の大型化に伴って画像表示装置とアウト口との間に位置するアタッカー装置の設計に苦慮する背景下でも、設計の自由度を拡大して複合的な可動式の入賞機構を装備でき、またルータ孔の寸法的制約を受けることなく可動部材の運動量に応じた容量の駆動源を採用できるため、比較的大型の開閉扉やシーソー部材を揺動作動させたり、多関節機構を設けて複雑な動きをさせるような機構構成が可能になり、限られた寸法内で実現困難とされたダイナミックな動作や斬新な動作をする複合入賞装置を実現することができる。
【０１６１】
また、駆動部３４０を前枠側に設けているため、遊技盤８の生産コストを低減して盤面換えに要する費用を低減可能であることに加えて、盤面換えにおいて始動入賞口開閉ソレノイド２４１を継続使用することで省資源に寄与することができ、また回収した遊技盤のリサイクル工数およびコストを低減することができる。
【０１６２】
従って、以上説明してきたような遊技装置によれば、遊技装置の設計の自由度を向上させるとともに、省資源および盤面換えのコスト低減を可能とし、併せてリサイクル性を向上させた弾球遊技機用の遊技装置を提供することができる。
【図面の簡単な説明】
【０１６３】
【図１】本発明に係る遊技装置を備えた弾球遊技機の一例として示すパチンコ機の正面図である。
【図２】上記パチンコ機の背面図である。
【図３】上記パチンコ機に設けられた第１構成形態の中央飾りにおける装飾機構部の分解斜視図である。
【図４】上部カバーを取り外した状態で示す上記装飾機構部の正面図（部分断面図）である。
【図５】上記装飾機構部の裏面側上部に設けられた回動軸変換構造の平断面図である。
【図６】遊技補助盤の裏面側に設けられた駆動ユニットの背面図である。
【図７】図６中に付記するVII−VII矢視方向の平面図である。
【図８】第２構成形態の中央飾りを示す斜視図である。
【図９】上記パチンコ機に設けられた第１構成形態の始動入賞装置の概要構成および動作変位を示す説明図であり、(ａ)図および(ｂ)図は、それぞれ始動入賞口を閉じた状態と開いた状態を示す。
【図１０】第２構成形態の始動入賞装置の概要構成および動作変位を示す説明図であり、(ａ)図および(ｂ)図は、それぞれ始動入賞口を閉じた状態と開いた状態を示す。
【図１１】第３構成形態の始動入賞装置の概要構成および動作変位を示す説明図であり、(ａ)図および(ｂ)図は、それぞれ始動入賞口を閉じた状態と開いた状態を示す。
【図１２】上記パチンコ機に設けられたアタッカー装置における扉開閉機構部を主として示す斜め前方からの斜視図であり、(ａ)図および(ｂ)図は、それぞれ開閉扉を閉じた状態と開いた状態を示す。
【図１３】上記アタッカー装置における球誘導機構部を主として示す斜め後方からの斜視図であり、(ａ)図および(ｂ)図は、それぞれシーソー部材を左傾させる前と後の状態を示す。
【図１４】上記アタッカー装置を斜め後方から見た分解斜視図である。
【図１５】流路形成部材を取り外した状態で扉開閉機構部および球誘導機構部を示す背面図である。
【図１６】扉開閉機構部および球誘導機構部に用いられるカップリングの平面図である。
【図１７】開閉扉との係合関係を併せて示すカップリングの分解斜視図である。
【図１８】球誘導機構部のロッカーアームとの係合関係を併せて示すカップリングの分解斜視図である。
【図１９】開閉扉の動作変位を説明するための説明図（扉開閉機構部の側面図）であって、(ａ)図および(ｂ)図は、それぞれ開閉扉を閉じた状態と開いた状態を示す。
【図２０】シーソー部材の動作変位を説明するための説明図（球誘導機構部の要部正面図および側面図）であって、(ａ)図および(ｂ)図は、それぞれシーソー部材を左傾させる前と後の状態を示す。
【符号の説明】
【０１６４】
ＰM  パチンコ機
１  外枠
２  前枠
８  遊技盤
９  遊技補助盤
１０    中央飾り（第１構成形態）
１０′  中央飾り（第２構成形態）
２０    始動入賞装置（第１構成形態）
２０′  始動入賞装置（第２構成形態）
２１    始動入賞装置（第３構成形態）
３０    アタッカー装置
１００  装飾機構部
１１３  回動入力軸
１２０  回転盤
１４０  回転盤駆動モータ
１４３  駆動軸
１５０    伝達機構（第１構成形態）
１５０′  伝達機構（第２構成形態）
１５２  フレキシブルシャフト
１６０  回動軸変換構造
１６３  変換回動軸
１７０  駆動軸変換構造
１７３  変換駆動軸
１８０  駆動ユニット
２００    始動入賞装置の入賞機構部（第１構成形態）
２００′  始動入賞装置の入賞機構部（第２構成形態）
２０１    始動入賞装置の入賞機構部（第３構成形態）
２２０（２２０Ｌ，２２０Ｒ）  チューリップ羽根（第１，第２構成形態）
２２１（２２１Ｌ，２２１Ｒ）  チューリップ羽根（第３構成形態）
２３３  回動入力軸
２３４  回動軸
２４０  始動入賞口開閉ソレノイド（第１，第２構成形態）
２４１  始動入賞口開閉ソレノイド（第３構成形態）
２４３  駆動軸（第１，第２構成形態）
２４５  駆動軸（第３構成形態）
２５０  伝達機構（第１，第２構成形態）
２５１  伝達機構（第３構成形態）
２５２  フレキシブルシャフト
２５４  コントロールケーブル
２７７  固定構造
３００  アタッカー装置の入賞機構部
３２０  扉開閉機構部
３２１  開閉扉
３３０  球誘導機構部
３３１  シーソー部材
３３２  ロッカーアーム
３４０  駆動部
３４１  扉開閉ソレノイド
３４２  シーソー傾動ソレノイド
３４３  駆動軸
３４４  駆動軸
３５０  伝達機構
３５１  扉開閉伝達機構
３５２  球誘導伝達機構
３５３  扉開閉コントロールケーブル
３５４  球誘導コントロールケーブル
【図１】
2006102137.tif 000003
【図２】
2006102137.tif 000004
【図３】
2006102137.tif 000005
【図４】
2006102137.tif 000006
【図５】
2006102137.tif 000007
【図６】
2006102137.tif 000008
【図７】
2006102137.tif 000009
【図８】
2006102137.tif 000010
【図９】
2006102137.tif 000011
【図１０】
2006102137.tif 000012
【図１１】
2006102137.tif 000013
【図１２】
2006102137.tif 000014
【図１３】
2006102137.tif 000015
【図１４】
2006102137.tif 000016
【図１５】
2006102137.tif 000017
【図１６】
2006102137.tif 000018
【図１７】
2006102137.tif 000019
【図１８】
2006102137.tif 000020
【図１９】
2006102137.tif 000021
【図２０】
2006102137.tif 000022